(57)【特許請求の範囲】
【請求項１】
アクセス端末（ＡＴ）が第１の無線通信システムから第２の無線通信システムへのアイドルな移行を取り扱う方法であって、
近隣リストにアクセスすることであって、ここで、前記近隣リスト内の各近隣システムは、前記ＡＴがハイブリッド・モードをサポートしているかに少なくとも部分的に基づいて優先度付けられる、ことと、
前記近隣リストに少なくとも部分的に基づいて、ハンドインする前記第２の無線通信システムを選択することと
を備え、
前記第２の無線通信システムを選択することは、
少なくとも１つのｅＨＲＰＤ近隣を検出することと、
前記ＡＴが前記ハイブリッド・モードをサポートしないことに応答して、前記第１の無線通信システムの第１のしきい値、および、前記少なくとも１つのｅＨＲＰＤ近隣のｅＨＲＰＤしきい値を、前記第１の無線通信システムの信号品質、および、ｅＨＲＰＤの信号品質とそれぞれ比較することと、
前記第１の無線通信システムの信号品質が、前記第１の無線通信システムの第１のしきい値よりも低い場合、および／または、前記ｅＨＲＰＤの信号品質が、前記ｅＨＲＰＤしきい値よりも高い場合、前記少なくとも１つのｅＨＲＰＤ近隣に移行することと
を備える方法。
【請求項２】
前記近隣リストは、イボルブド高レート・データ・パケット（ｅＨＲＰＤ）近隣、シングル・キャリア・ラジオ送信技術（１ｘＲＴＴ）近隣、および、高レート・データ・パケット（ＨＲＰＤ）近隣のうちの少なくとも１つを備える請求項１に記載の方法。
【請求項３】
前記第１の無線通信システムは、ロング・ターム・イボリューション（ＬＴＥ）システムを備え、前記第２の無線通信システムは、第３世代パートナシップ計画２（３ＧＰＰ２）システムを備える請求項２に記載の方法。
【請求項４】
検出可能な何れのｅＨＲＰＤ近隣も存在しないことを判定することと、
前記ＡＴが前記ハイブリッド・モードをサポートしないことに応答して、前記第１の無線通信システムに残ることと
をさらに備える請求項３に記載の方法。
【請求項５】
ＬＴＥ有効通信範囲がもはや利用可能ではない場合、利用可能な１ｘＲＴＴ近隣および利用可能なＨＲＰＤ近隣のうちの１つへ移行することをさらに備える請求項４に記載の方法。
【請求項６】
前記ＬＴＥの信号品質が、ＬＴＥしきい値よりも低い場合、および／または、前記１ｘＲＴＴの信号品質が、１ｘＲＴＴしきい値よりも高い場合、前記１ｘＲＴＴ近隣に移行することをさらに備える請求項５に記載の方法。
【請求項７】
前記ＬＴＥの信号品質がＬＴＥしきい値よりも低い場合、および／または、前記ＨＲＰＤの信号品質がＨＲＰＤしきい値よりも高い場合、前記ＨＲＰＤ近隣に移行することをさらに備える請求項５に記載の方法。
【請求項８】
少なくとも１つの１ｘＲＴＴ近隣を検出することと、
前記ＡＴが前記ハイブリッド・モードをサポートすることに応答して、前記第１の無線通信システムの第１のしきい値、および、前記少なくとも１つの１ｘＲＴＴ近隣の１ｘＲＴＴ相対しきい値を、前記第１の無線通信システムの信号品質、および、１ｘＲＴＴの信号品質とそれぞれ比較することと、
前記第１の無線通信システムの信号品質が第１のしきい値よりも低い場合、および／または、前記１ｘＲＴＴの信号品質が前記１ｘＲＴＴしきい値よりも高い場合、前記少なくとも１つの１ｘＲＴＴ近隣に移行することと
をさらに備える請求項１に記載の方法。
【請求項９】
前記少なくとも１つの１ｘＲＴＴ近隣に関連付けられた何れかのｅＨＲＰＤ近隣を検出することと、
前記関連付けられたｅＨＲＰＤ近隣の信号品質の、ｅＨＲＰＤしきい値との比較に少なくとも部分的に基づいて、前記関連付けられたｅＨＲＰＤ近隣のうちの１つを選択することと、
前記選択された、関連付けられたｅＨＲＰＤ近隣に接続することと
をさらに備える請求項８に記載の方法。
【請求項１０】
検出可能な何れの１ｘＲＴＴ近隣も存在しないことを判定することと、
前記ＡＴが前記ハイブリッド・モードをサポートすることに応答して、ハンドインするために、利用可能なｅＨＲＰＤシステムと利用可能なＨＲＰＤシステムとのうちの少なくとも１つを求めて探索することと
をさらに備える請求項９に記載の方法。
【請求項１１】
アクセス端末（ＡＴ）が第１の無線通信システムから第２の無線通信システムへのイン・トラフィックな移行を取り扱う方法であって、
（ａ）１ｘＲＴＴ近隣よりもｅＨＲＰＤ近隣を優先し、かつ（ｂ）ＨＲＰＤ近隣よりも１ｘＲＴＴ近隣を優先する、近隣リストにアクセスすることと、
前記近隣リストに少なくとも部分的に基づいて、ハンドインするための前記第２の無線通信システムを選択することとであって、前記第２の無線通信システムを選択することは、前記ｅＨＲＰＤ近隣のうちの少なくとも１つを求めて探索することを備える、ことと、
前記少なくとも１つのｅＨＲＰＤ近隣を検出することと、
前記第１の無線通信システムの第１のしきい値、および、前記少なくとも１つのｅＨＲＰＤ近隣のｅＨＲＰＤしきい値を、前記第１の無線通信システムの信号品質、および、ｅＨＲＰＤの信号品質とそれぞれ比較することと、
前記第１の無線通信システムの信号品質が前記第１の無線通信システムの第１のしきい値よりも低い場合、および／または、前記少なくとも１つのｅＨＲＰＤ近隣のｅＨＲＰＤの信号品質が前記ｅＨＲＰＤしきい値よりも高い場合、前記少なくとも１つのｅＨＲＰＤ近隣に移行することと
を備える方法。
【請求項１２】
検出可能な何れのｅＨＲＰＤ近隣も存在しないことを判定することと、
前記１ｘＲＴＴ近隣のうちの少なくとも１つを求めて探索することと
をさらに備える請求項１１に記載の方法。
【請求項１３】
前記少なくとも１つの１ｘＲＴＴ近隣を検出することと、
前記第１の無線通信システムの第１のしきい値、および、前記少なくとも１つの１ｘＲＴＴ近隣の１ｘＲＴＴしきい値を、前記第１の無線通信システムの信号品質、および、１ｘＲＴＴの信号品質とそれぞれ比較することと、
前記第１の無線通信システムの信号品質が前記第１のしきい値よりも低い場合、および／または、前記１ｘＲＴＴの信号品質が前記１ｘＲＴＴしきい値よりも高い場合、前記少なくとも１つの１ｘＲＴＴ近隣に移行することと
をさらに備える請求項１２に記載の方法。
【請求項１４】
検出可能な何れの１ｘＲＴＴ近隣も存在しないことを判定することと、
前記ＨＲＰＤ近隣のうちの少なくとも１つを求めて探索することと
をさらに備える請求項１２に記載の方法。
【請求項１５】
第１の無線通信システムから第２の無線通信システムへのアイドルな移行を取り扱うための通信デバイスであって、
トランシーバ・モジュールと、
前記トランシーバ・モジュールに動作可能に接続された少なくとも１つのプロセッサと、
前記少なくとも１つのプロセッサに動作可能に接続されたメモリ・モジュールとを備え、
前記メモリ・モジュールは、前記少なくとも１つのプロセッサが、
近隣リストにアクセスすることであって、前記近隣リスト内の各近隣システムは、前記通信デバイスがハイブリッド・モードをサポートしているかに少なくとも部分的に基づいて優先度付けられる、ことと、
前記近隣リストに少なくとも部分的に基づいて、ハンドインするための前記第２の無線通信システムを選択することと
を行うための実行可能なコードを備え、
前記少なくとも１つのプロセッサは、
少なくとも１つのｅＨＲＰＤ近隣を検出し、
前記通信デバイスが前記ハイブリッド・モードをサポートしないことに応答して、前記第１の無線通信システムの第１のしきい値、および、前記少なくとも１つのｅＨＲＰＤ近隣のｅＨＲＰＤしきい値を、前記第１の無線通信システムの信号品質、および、ｅＨＲＰＤの信号品質とそれぞれ比較し、
前記第１の無線通信システムの信号品質が前記第１の無線通信システムの第１のしきい値よりも低い場合、および／または、前記ｅＨＲＰＤの信号品質が前記ｅＨＲＰＤしきい値よりも高い場合、前記通信デバイスに対して、前記少なくとも１つのｅＨＲＰＤ近隣に移行するように指示する通信デバイス。
【請求項１６】
前記第１の無線通信システムは、ＬＴＥシステムを備え、前記第２の無線通信システムは、３ＧＰＰ２システムを備える請求項１５に記載の通信デバイス。
【請求項１７】
前記少なくとも１つのプロセッサが、
検出可能な何れのｅＨＲＰＤ近隣も存在しないと判定し、
前記通信デバイスが前記ハイブリッド・モードをサポートしないことに応答して、前記通信デバイスに対して、前記ＬＴＥシステムに残るように指示する
請求項１６に記載の通信デバイス。
【請求項１８】
前記少なくとも１つのプロセッサが、ＬＴＥ有効通信範囲がもはや利用可能ではない場合、前記通信デバイスに対して、利用可能な１ｘＲＴＴ近隣および利用可能なＨＲＰＤ近隣のうちの１つへ移行するように指示する請求項１７に記載の通信デバイス。
【請求項１９】
前記少なくとも１つのプロセッサが、前記ＬＴＥの信号品質が、ＬＴＥしきい値よりも低い場合、および／または、前記１ｘＲＴＴの信号品質が、１ｘＲＴＴしきい値よりも高い場合、前記通信デバイスに対して、前記１ｘＲＴＴ近隣に移行するように指示する請求項１８に記載の通信デバイス。
【請求項２０】
前記少なくとも１つのプロセッサが、前記ＬＴＥの信号品質がＬＴＥしきい値よりも低い場合、および／または、前記ＨＲＰＤの信号品質がＨＲＰＤしきい値よりも高い場合、前記通信デバイスに対して、前記ＨＲＰＤ近隣に移行するように指示する請求項１８に記載の通信デバイス。
【請求項２１】
前記少なくとも１つのプロセッサが、
少なくとも１つの１ｘＲＴＴ近隣を検出し、
前記通信デバイスが前記ハイブリッド・モードをサポートすることに応答して、前記第１の無線通信システムの第１のしきい値、および、前記少なくとも１つの１ｘＲＴＴ近隣の１ｘＲＴＴしきい値を、前記第１の無線通信システムの信号品質、および、１ｘＲＴＴの信号品質とそれぞれ比較し、
前記第１の無線通信システムの信号品質が前記第１の無線通信システムの第１のしきい値よりも低い場合、および／または、前記１ｘＲＴＴの信号品質が前記１ｘＲＴＴしきい値よりも高い場合、前記通信デバイスに対して、前記少なくとも１つの１ｘＲＴＴ近隣に移行するように指示する
請求項１５に記載の通信デバイス。
【請求項２２】
前記少なくとも１つのプロセッサが、
前記少なくとも１つの１ｘＲＴＴ近隣に関連付けられた何れかのｅＨＲＰＤ近隣を検出し、
前記関連付けられたｅＨＲＰＤ近隣の信号品質の、ｅＨＲＰＤしきい値との比較に少なくとも部分的に基づいて、前記関連付けられたｅＨＲＰＤ近隣のうちの１つを選択し、
前記通信デバイスに対して、前記選択された、関連付けられたｅＨＲＰＤ近隣に接続するように指示する
請求項２１に記載の通信デバイス。
【請求項２３】
前記少なくとも１つのプロセッサが、
検出可能な何れの１ｘＲＴＴ近隣も存在しないことを判定し、
前記通信デバイスが前記ハイブリッド・モードをサポートすることに応答して、ハンドインするために利用可能なｅＨＲＰＤシステムおよび利用可能なＨＡＲＤシステムのうちの少なくとも１つを探索する
請求項２２に記載の通信デバイス。
【請求項２４】
第１の無線通信システムから第２の無線通信システムへのイン・トラフィックな移行を取り扱うための通信デバイスであって、
トランシーバ・モジュールと、
前記トランシーバ・モジュールに動作可能に接続された少なくとも１つのプロセッサと、
前記少なくとも１つのプロセッサに動作可能に接続されたメモリ・モジュールとを備え、
前記メモリ・モジュールは、前記少なくとも１つのプロセッサが、
（ａ）１ｘＲＴＴ近隣よりもｅＨＲＰＤ近隣を優先し、かつ（ｂ）ＨＲＰＤ近隣よりも１ｘＲＴＴ近隣を優先する、近隣リストにアクセスすることと、
前記近隣リストに少なくとも部分的に基づいて、ハンドインするための前記第２の無線通信システムを選択することと
を行うための実行可能なコードを備え、
前記少なくとも１つのプロセッサが、前記ｅＨＲＰＤ近隣のうちの少なくとも１つを求めて探索し、
前記少なくとも１つのプロセッサが、
前記少なくとも１つのｅＨＲＰＤ近隣を検出し、
前記第１の無線通信システムの第１のしきい値、および、前記少なくとも１つのｅＨＲＰＤ近隣のｅＨＲＰＤしきい値を、前記第１の無線通信システムの信号品質、および、ｅＨＲＰＤの信号品質とそれぞれ比較し、
前記第１の無線通信システムの信号品質が前記第１の無線通信システムの第１のしきい値よりも低い場合、および／または、前記少なくとも１つのｅＨＲＰＤ近隣の前記ｅＨＲＰＤの信号品質が前記ｅＨＲＰＤしきい値よりも高い場合、前記通信デバイスに対して、前記少なくとも１つのｅＨＲＰＤ近隣に移行するように指示する
通信デバイス。
【請求項２５】
前記少なくとも１つのプロセッサが、
検出可能な何れのｅＨＲＰＤ近隣も存在しないことを判定し、
前記１ｘＲＴＴ近隣のうちの少なくとも１つを求めて探索する
請求項２４に記載の通信デバイス。
【請求項２６】
前記少なくとも１つのプロセッサが、
前記少なくとも１つの１ｘＲＴＴ近隣を検出し、
前記第１の無線通信システムの第１のしきい値、および、前記少なくとも１つの１ｘＲＴＴ近隣の１ｘＲＴＴしきい値を、前記第１の無線通信システムの信号品質、および、１ｘＲＴＴの信号品質とそれぞれ比較し、
前記第１の無線通信システムの信号品質が前記第１のしきい値よりも低い場合、および／または、前記１ｘＲＴＴの信号品質が前記１ｘＲＴＴしきい値よりも高い場合、前記通信デバイスに対して、前記少なくとも１つの１ｘＲＴＴ近隣に移行するように指示する
請求項２５に記載の通信デバイス。
【請求項２７】
前記少なくとも１つのプロセッサが、
検出可能な何れの１ｘＲＴＴ近隣も存在しないことを判定し、
前記ＨＲＰＤ近隣のうちの少なくとも１つを求めて探索する
請求項２５に記載の通信デバイス。
【請求項２８】
第１の無線通信システムから第２の無線通信システムへのアイドルな移行を取り扱うための装置であって、
近隣リストにアクセスする第１の構成要素であって、前記近隣リスト内の各近隣システムは、装置がハイブリッド・モードをサポートしているかに少なくとも部分的に基づいて優先度付けられる、第１の構成要素と、
前記近隣リストに少なくとも部分的に基づいて、ハンドインするための前記第２の無線通信システムを選択する第２の構成要素と
を備え、
前記第２の構成要素は、
少なくとも１つのｅＨＲＰＤ近隣を検出し、
前記装置が前記ハイブリッド・モードをサポートしないことに応答して、前記第１の無線通信システムの第１のしきい値、および、前記少なくとも１つのｅＨＲＰＤ近隣のｅＨＲＰＤしきい値を、前記第１の無線通信システムの信号品質、および、ｅＨＲＰＤの信号品質とそれぞれ比較し、
前記第１の無線通信システムの信号品質が前記第１の無線通信システムの第１のしきい値よりも低い場合、および／または、前記ｅＨＲＰＤの信号品質が前記ｅＨＲＰＤしきい値よりも高い場合、前記装置に対して、前記少なくとも１つのｅＨＲＰＤ近隣に移行するように指示する
ように構成された装置。
【請求項２９】
前記第１の無線通信システムは、ＬＴＥシステムを備え、前記第２の無線通信システムは、３ＧＰＰ２システムを備える請求項２８に記載の装置。
【請求項３０】
検出可能な何れのｅＨＲＰＤ近隣も存在しないと判定し、
前記装置が前記ハイブリッド・モードをサポートしないことに応答して、前記装置に対して、前記ＬＴＥシステムに残るように指示する
ように構成された第３の構成要素をさらに備える請求項２９に記載の装置。
【請求項３１】
ＬＴＥ有効通信範囲がもはや利用可能ではない場合、前記装置に対して、利用可能な１ｘＲＴＴ近隣および利用可能なＨＲＰＤ近隣のうちの１つへ移行するように指示する第４の構成要素をさらに備える請求項３０に記載の装置。
【請求項３２】
前記ＬＴＥの信号品質が、ＬＴＥしきい値よりも低い場合、および／または、前記１ｘＲＴＴの信号品質が、１ｘＲＴＴしきい値よりも高い場合、前記装置に対して、前記１ｘＲＴＴ近隣に移行するように指示する第５の構成要素をさらに備える請求項３１に記載の装置。
【請求項３３】
前記ＬＴＥの信号品質がＬＴＥしきい値よりも低い場合、および／または、前記ＨＲＰＤの信号品質がＨＲＰＤしきい値よりも高い場合、前記装置に対して、前記ＨＲＰＤ近隣に移行するように指示する第６の構成要素をさらに備える請求項３１に記載の装置。
【請求項３４】
少なくとも１つの１ｘＲＴＴ近隣を検出し、
前記装置が前記ハイブリッド・モードをサポートすることに応答して、前記第１の無線通信システムの第１のしきい値、および、前記少なくとも１つの１ｘＲＴＴ近隣の１ｘＲＴＴしきい値を、前記第１の無線通信システムの信号品質、および、１ｘＲＴＴの信号品質とそれぞれ比較し、
前記第１の無線通信システムの信号品質が第１のしきい値よりも低い場合、および／または、前記１ｘＲＴＴの信号品質が前記１ｘＲＴＴしきい値よりも高い場合、前記装置に対して、前記少なくとも１つの１ｘＲＴＴ近隣に移行するように指示する
ように構成された第７の構成要素をさらに備える請求項２８に記載の装置。
【請求項３５】
前記第１の無線通信システムは、ＬＴＥシステムを備え、前記第２の無線通信システムは、３ＧＰＰ２システムを備える請求項３４に記載の装置。
【請求項３６】
前記少なくとも１つの１ｘＲＴＴ近隣に関連付けられた何れかのｅＨＲＰＤ近隣を検出し、
前記関連付けられたｅＨＲＰＤ近隣の信号品質の、ｅＨＲＰＤしきい値との比較に少なくとも部分的に基づいて、前記関連付けられたｅＨＲＰＤ近隣のうちの１つを選択し、
前記装置に対して、前記選択された、関連付けられたｅＨＲＰＤ近隣に接続するように指示する
ように構成された第３の構成要素をさらに備える請求項３５に記載の装置。
【請求項３７】
検出可能な何れの１ｘＲＴＴ近隣も存在しないことを判定し、
前記装置が前記ハイブリッド・モードをサポートすることに応答して、ハンドインするために利用可能なｅＨＲＰＤシステムおよび利用可能なＨＡＲＤシステムのうちの少なくとも１つを求めて探索する
ように構成された第３の構成要素をさらに備える請求項３５に記載の装置。
【請求項３８】
第１の無線通信システムから第２の無線通信システムへのアイドルな移行を取り扱うための装置であって、
（ａ）１ｘＲＴＴ近隣よりもｅＨＲＰＤ近隣を優先し、かつ（ｂ）ＨＲＰＤ近隣よりも１ｘＲＴＴ近隣を優先する、近隣リストにアクセスするための第１の構成要素と、
前記近隣リストに少なくとも部分的に基づいて、ハンドインするための前記第２の無線通信システムを選択するための第２の構成要素であって、前記第２の無線通信システムを選択するための第２の構成要素は、前記ｅＨＲＰＤ近隣のうちの少なくとも１つを求めて探索することを備える、第２の構成要素と、
前記少なくとも１つのｅＨＲＰＤ近隣を検出するための第３の構成要素と、
前記第１の無線通信システムの第１のしきい値、および、前記少なくとも１つのｅＨＲＰＤ近隣のｅＨＲＰＤしきい値を、前記第１の無線通信システムの信号品質、および、ｅＨＲＰＤの信号品質とそれぞれ比較するための第４の構成要素と、
前記第１の無線通信システムの信号品質が前記第１の無線通信システムの第１のしきい値よりも低い場合、および／または、前記少なくとも１つのｅＨＲＰＤ近隣のｅＨＲＰＤの信号品質が前記ｅＨＲＰＤしきい値よりも高い場合、前記少なくとも１つのｅＨＲＰＤ近隣に移行するための第５の構成要素と
を備える装置。
【請求項３９】
前記第２の構成要素は、前記ｅＨＲＰＤ近隣のうちの少なくとも１つを求めて探索するように構成された請求項３８に記載の装置。
【請求項４０】
第１の無線通信システムから第２の無線通信システムへのアイドルな移行を取り扱うための装置であって、
近隣リストにアクセスする手段であって、前記近隣リスト内の各近隣システムは、前記装置がハイブリッド・モードをサポートしているかに少なくとも部分的に基づいて優先度付けられる、手段と、
前記近隣リストに少なくとも部分的に基づいて、ハンドインするための前記第２の無線通信システムを選択する手段と、
少なくとも１つのｅＨＲＰＤ近隣を検出する手段と、
前記装置が前記ハイブリッド・モードをサポートしないことに応答して、前記第１の無線通信システムの第１のしきい値、および、前記少なくとも１つのｅＨＲＰＤ近隣のｅＨＲＰＤしきい値を、前記第１の無線通信システムの信号品質、および、ｅＨＲＰＤの信号品質とそれぞれ比較する手段と、
前記第１の無線通信システムの信号品質が前記第１の無線通信システムの第１のしきい値よりも低い場合、および／または、前記ｅＨＲＰＤの信号品質が前記ｅＨＲＰＤしきい値よりも高い場合、前記装置に対して、前記少なくとも１つのｅＨＲＰＤ近隣に移行するように指示する手段と
を備える装置。
【請求項４１】
前記第１の無線通信システムは、ＬＴＥシステムを備え、前記第２の無線通信システムは、３ＧＰＰ２システムを備える請求項４０に記載の装置。
【請求項４２】
検出可能な何れのｅＨＲＰＤ近隣も存在しないと判定する手段と、
前記装置が前記ハイブリッド・モードをサポートしないことに応答して、前記装置に対して、前記ＬＴＥシステムに残るように指示する手段と
をさらに備える請求項４１に記載の装置。
【請求項４３】
ＬＴＥ有効通信範囲がもはや利用可能ではない場合、前記装置に対して、利用可能な１ｘＲＴＴ近隣および利用可能なＨＲＰＤ近隣のうちの１つへ移行するように指示する手段をさらに備える請求項４２に記載の装置。
【請求項４４】
前記ＬＴＥの信号品質が、ＬＴＥしきい値よりも低い場合、および／または、前記１ｘＲＴＴの信号品質が、１ｘＲＴＴしきい値よりも高い場合、前記装置に対して、前記１ｘＲＴＴ近隣に移行するように指示する手段をさらに備える請求項４３に記載の装置。
【請求項４５】
前記ＬＴＥの信号品質がＬＴＥしきい値よりも低い場合、および／または、前記ＨＲＰＤの信号品質がＨＲＰＤしきい値よりも高い場合、前記装置に対して、前記ＨＲＰＤ近隣に移行するように指示する手段をさらに備える請求項４３に記載の装置。
【請求項４６】
少なくとも１つの１ｘＲＴＴ近隣を検出する手段と、
前記装置が前記ハイブリッド・モードをサポートすることに応答して、前記第１の無線通信システムの第１のしきい値、および、前記少なくとも１つの１ｘＲＴＴ近隣の１ｘＲＴＴしきい値を、前記第１の無線通信システムの信号品質、および、１ｘＲＴＴの信号品質とそれぞれ比較する手段と、
前記第１の無線通信システムの信号品質が第１のしきい値よりも低い場合、および／または、前記１ｘＲＴＴの信号品質が前記１ｘＲＴＴしきい値よりも高い場合、前記装置に対して、前記少なくとも１つの１ｘＲＴＴ近隣に移行するように指示する手段と
をさらに備える請求項４０に記載の装置。
【請求項４７】
前記第１の無線通信システムは、ＬＴＥシステムを備え、前記第２の無線通信システムは、３ＧＰＰ２システムを備える請求項４６に記載の装置。
【請求項４８】
前記少なくとも１つの１ｘＲＴＴ近隣に関連付けられた何れかのｅＨＲＰＤ近隣を検出する手段と、
前記関連付けられたｅＨＲＰＤ近隣の信号品質の、ｅＨＲＰＤしきい値との比較に少なくとも部分的に基づいて、前記関連付けられたｅＨＲＰＤ近隣のうちの１つを選択する手段と、
前記装置に対して、前記選択された、関連付けられたｅＨＲＰＤ近隣に接続するように指示する手段と
をさらに備える請求項４７に記載の装置。
【請求項４９】
検出可能な何れの１ｘＲＴＴ近隣も存在しないことを判定する手段と、
前記装置が前記ハイブリッド・モードをサポートすることに応答して、ハンドインするために利用可能なｅＨＲＰＤシステムおよび利用可能なＨＡＲＤシステムのうちの少なくとも１つを求めて探索する手段と
をさらに備える請求項４７に記載の装置。
【請求項５０】
第１の無線通信システムから第２の無線通信システムへのアイドルな移行を取り扱うための装置であって、
（ａ）１ｘＲＴＴ近隣よりもｅＨＲＰＤ近隣を優先し、かつ（ｂ）ＨＲＰＤ近隣よりも１ｘＲＴＴ近隣を優先する、近隣リストにアクセスする手段と、
前記近隣リストに少なくとも部分的に基づいて、ハンドインするための前記第２の無線通信システムを選択する手段であって、前記第２の無線通信システムを選択する手段は、前記ｅＨＲＰＤ近隣のうちの少なくとも１つを求めて探索することを備える、手段と、
前記少なくとも１つのｅＨＲＰＤ近隣を検出する手段と、
前記第１の無線通信システムの第１のしきい値、および、前記少なくとも１つのｅＨＲＰＤ近隣のｅＨＲＰＤしきい値を、前記第１の無線通信システムの信号品質、および、ｅＨＲＰＤの信号品質とそれぞれ比較する手段と、
前記第１の無線通信システムの信号品質が前記第１の無線通信システムの第１のしきい値よりも低い場合、および／または、前記少なくとも１つのｅＨＲＰＤ近隣のｅＨＲＰＤの信号品質がｅＨＲＰＤしきい値よりも高い場合、前記少なくとも１つのｅＨＲＰＤ近隣に移行する手段と
を備える装置。
【請求項５１】
前記ｅＨＲＰＤ近隣のうちの少なくとも１つを求めて探索する手段をさらに備える請求項５０に記載の装置。
【請求項５２】
コンピュータ読取可能な記録媒体であって、
ＡＴが、第１の無線通信システムから第２の無線通信システムへの移行を試みることに応答して、コンピュータに対して、前記ＡＴのための近隣リストにアクセスさせるためのコードであって、前記近隣リスト内の各近隣システムは、前記ＡＴがハイブリッド・モードをサポートしているかに少なくとも部分的に基づいて優先度付けられる、コードと、
前記近隣リストに少なくとも部分的に基づいて、コンピュータに対して、ハンドインするための前記第２の無線通信システムを選択させるためのコードと
少なくとも１つのｅＨＲＰＤ近隣を検出させ、
前記ＡＴが前記ハイブリッド・モードをサポートしないことに応答して、前記第１の無線通信システムの第１のしきい値、および、前記少なくとも１つのｅＨＲＰＤ近隣のｅＨＲＰＤしきい値を、前記第１の無線通信システムの信号品質、および、ｅＨＲＰＤの信号品質とそれぞれ比較させ、
前記第１の無線通信システムの信号品質が前記第１の無線通信システムの第１のしきい値よりも低い場合、および／または、前記ｅＨＲＰＤの信号品質が前記ｅＨＲＰＤしきい値よりも高い場合、前記ＡＴに対して、前記少なくとも１つのｅＨＲＰＤ近隣に移行させるように指示させる
ためのコードと
を記録したコンピュータ読取可能な記録媒体。
【請求項５３】
前記第１の無線通信システムは、ＬＴＥシステムを備え、前記第２の無線通信システムは、３ＧＰＰ２システムを備える請求項５２に記載のコンピュータ読取可能な記録媒体。
【請求項５４】
コンピュータ読取可能な記録媒体であって、
第１の無線通信システムから第２の無線通信システムへのアイドルな移行に応答して、
（ａ）１ｘＲＴＴ近隣よりもｅＨＲＰＤ近隣を優先し、かつ（ｂ）ＨＲＰＤ近隣よりも１ｘＲＴＴ近隣を優先する、近隣リストにコンピュータをアクセスさせるためのコードと、
コンピュータに対して、前記近隣リストに少なくとも部分的に基づいて、ハンドインするための前記第２の無線通信システムを選択させるためのコードであって、前記第２の無線通信システムを選択させるためのコードは、前記ｅＨＲＰＤ近隣のうちの少なくとも１つを求めて探索することを備える、コードと、
コンピュータに対して、前記少なくとも１つのｅＨＲＰＤ近隣を検出させるためのコードと、
コンピュータに対して、前記第１の無線通信システムの第１のしきい値、および、前記少なくとも１つのｅＨＲＰＤ近隣のｅＨＲＰＤしきい値を、前記第１の無線通信システムの信号品質、および、ｅＨＲＰＤの信号品質とそれぞれ比較させるためのコードと、
前記第１の無線通信システムの信号品質が前記第１の無線通信システムの第１のしきい値よりも低い場合、および／または、前記少なくとも１つのｅＨＲＰＤ近隣のｅＨＲＰＤの信号品質がｅＨＲＰＤしきい値よりも高い場合、コンピュータに対して、前記少なくとも１つのｅＨＲＰＤ近隣に移行させるためのコードと
を記録したコンピュータ読取可能な記録媒体。
【請求項５５】
コンピュータに対して、前記ｅＨＲＰＤ近隣のうちの少なくとも１つを求めて探索させるためのコードをさらに記録した請求項５４に記載のコンピュータ読取可能な記録媒体。
【発明の詳細な説明】
【優先権主張】
【０００１】
本特許出願は、本願の譲受人に譲渡され、本明細書において参照によって明確に組み込まれた、２００８年１０月３１日出願の“１ＸＲＴＴ  ＡＮＤ  ＨＲＰＤ  ＮＥＩＧＨＢＯＲ  ＬＩＳＴ  ＳＵＰＰＯＲＴ  ＯＶＥＲ  ＬＴＥ”と題された仮出願６１／１１０，３４６号の優先権を主張する。
【技術分野】
【０００２】
本願は、一般に、無線通信に関し、さらに詳しくは、例えば、第３世代パートナシップ計画（３ＧＰＰ）ロング・ターム・イボリューション（ＬＴＥ）システムから、第３世代パートナシップ計画２（３ＧＰＰ２）システムへのような、異なる無線システム間の移行を取り扱うための方法およびシステムに関する。
【背景技術】
【０００３】
無線通信システムは、例えば、音声、データ等のようなさまざまなタイプのコンテンツを提供するために広く開発されてきた。これらのシステムは、（例えば、帯域幅、送信電力等のような）利用可能なシステム・リソースを共有することにより、複数のユーザとの通信をサポートすることができる多元接続システムでありうる。一般に、無線多元接続通信システムは、同時に複数の無線端末のための通信をサポートできうる。端末はおのおのの、順方向リンクおよび逆方向リンクによる送信を介して１または複数の基地局と通信することができる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システム等によって確立されうる。
【０００４】
世界中にわたる多くの無線技術の展開と、モバイル・マルチモード・デバイスまたはユーザ機器におけるこれら技術に対するサポートによって、グローバル・ローミングの目標に向かうシームレスなシステム選択に対するニーズが高まっている。さらに、どのような特定の地理的領域も、例えば３ＧＰＰ技術と３ＧＰＰ２技術のような混成技術および混成ネットワークをサポートしうる。
【０００５】
混成技術をサポートするモバイル・マルチモード・デバイスは、技術内での最適なネットワークを選択する際に使用される複数のデータベースを含みうる。例として、例えばあるＣＤＭＡ２０００（符号分割多元接続２０００）ネットワークのような３ＧＰＰ２技術のために、モバイル・デバイスにおいて格納された好適ローミング・リスト（ＰＲＬ）は、３ＧＰＰ２技術からのシステム／ネットワークがこのデバイスのための地理的領域において好適であることに関する情報を提供する。ＰＲＬは、オーバ・ザ・エア（ＯＴＡ）管理プロトコルによって予め定められたか、プログラムされたかに関わらず、好適なネットワークと、これらネットワークがユーザのために選択されるべき順序とに関する情報を含む。３ＧＰＰ２技術のためのＰＲＬは、各地理的領域に関連付けられたテーブルを持つように構成されうる。このテーブルは、システム識別子／ネットワーク識別子（ＳＩＤ／ＮＩＤ）ペアによってキーされ、獲得インデクスに関連付けられたシステム記載子のリストを含む。獲得インデクスは、獲得テーブルＡＴへのポインタとして使用される。獲得テーブルＡＴは、関連するシステムにおけるチャネル獲得目的のために、インデクスされたＲＦチャネルのリストを含む。
【０００６】
一方、例えばグローバル・システム・フォー・モバイル（ＧＳＭ（登録商標））およびＵＭＴＳ地上ラジオ・アクセス（ＵＴＲＡ）のような３ＧＰＰ技術の場合、パブリック・ランド・モバイル・ネットワーク（ＰＬＭＮ）と称される好適ネットワークの別に構築されたデータベース・リストが、モバイル・デバイスの加入者識別情報モジュール（ＳＩＭ）またはユニバーサル加入者識別情報モジュール（ＵＳＩＭ）に格納される。このデータベース内のＰＬＭＮは、例えばＧＳＭやＵＭＴＳのパブリック・ランド・モバイル・ネットワークのような３ＧＰＰ技術を用いてサービス・オペレータをユニークに識別するために、モバイル・カントリ・コード（ＭＣＣ）と組み合わせて使用されるモバイル・ネットワーク・コード（ＭＮＣ）（“ＭＣＣ／ＭＮＣタプル”としても知られている）を含む。
【０００７】
さらに、小規模な基地局からなる新たなクラスが出現した。これは、ユーザの住宅に搭載され、既存のブロードバンド・インターネット接続を用いて、モバイル・ユニットへ屋内無線有効通信範囲を提供しうる。このような基地局は、一般に、アクセス・ポイント（ＡＰ）基地局として知られているが、ホーム・ノードＢ（ＨＮＢ）ユニット、ホーム・イボルブド・ノードＢユニット（ＨｅＮＢ）、フェムト・セル、フェムト基地局（ｆＢＳ）、基地局、または、基地局トランシーバ・システムとも称されうる。一般に、ＡＰ基地局は、デジタル加入者線（ＤＳＬ）、ケーブル・インターネット・アクセス、Ｔ１／Ｔ３等によってインターネットおよびモバイル・オペレータのネットワークへ接続されており、例えば、基地トランシーバ局（ＢＴＳ）技術サービス、ラジオ・ネットワーク・コントローラ・サービス、および、ゲートウェイ・サポート・ノード・サービスのような一般的な基地局機能を提供する。これによって、セルラ／モバイル・デバイスまたはハンドセットとも称されるアクセス端末（ＡＴ）、または、ユーザ機器（ＵＥ）は、ＡＰ基地局へ接続し、無線サービスを利用できるようになる。ＡＴは、例えば、セルラ電話、スマート・フォン、ラップトップ、ハンドヘルド通信デバイス、ハンドヘルド計算デバイス、衛星ラジオ、ナビゲーション・デバイス、パーソナル・デジタル・アシスタント（ＰＤＡ）、または、無線通信システムによる通信のために適したその他任意のデバイスを含みうる。
【０００８】
マクロ基地局およびフェムト基地局のみならず、複数のラジオ・アクセス技術を含むヘテロジニアスな無線アクセス環境では、異なるネットワーク間でのアイドルなイン・トラフィックな移行を、シームレスな方式で取り扱うように装備されたＡＴに対するニーズがある。例えば、これら技術によって、ＬＴＥによるシングル・キャリア・ラジオ送信技術（１ｘＲＴＴ）近隣リストおよび高レート・パケット・データ（ＨＲＰＤ）近隣リストをサポートすることが可能になるであろう。例えば、以下により詳細に示す実施形態によって、３ＧＰＰ２近隣を求める効率的な探索が、アイドル時、または、イン・トラフィック時の両方において、ＬＴＥ動作に対する最小の中断で可能となる。
【発明の概要】
【０００９】
以下は、１または複数の実施形態の基本的な理解を与えるために、このような実施形態の簡略化された概要を示す。この概要は、考えられるすべての実施形態の広範囲な概観ではなく、すべての実施形態の重要要素や決定的要素を特定することも、何れかまたはすべての実施形態のスコープを線引きすることも意図されていない。その唯一の目的は、後に示されるより詳細な記載に対する前置きとして、簡略化された形式で１または複数の実施形態のいくつかの概念を表すことである。
【００１０】
１または複数の実施形態および対応する開示によれば、さまざまな態様が、ＡＴが第１の無線通信システムから第２の無線通信システムへのアイドルな移行を取り扱う方法に関連して記載される。例えば、このアイドル移行方法は、近隣リストにアクセスすることを含みうる。このリスト内の各近隣システムは、ＡＴがハイブリッド・モードをサポートしているかに少なくとも部分的に基づいて優先度付けられうる。このリストは、ｅＨＲＰＤ近隣、シングル・キャリア・ラジオ送信技術（１ｘＲＴＴ）近隣、および、高レート・データ・パケット（ＨＲＰＤ）近隣のうちの少なくとも１つを備えうる。
【００１１】
１つの実施形態では、この方法は、近隣リストに少なくとも部分的に基づいて、ハンドインするための第２のシステムを選択することを含みうる。この第２のシステムを選択するステップは、少なくとも１つのｅＨＲＰＤ近隣を検出することと、ＡＴがハイブリッド・モードをサポートしないことに応答して、第１のシステムの相対しきい値、および、少なくとも１つのｅＨＲＰＤ近隣の相対しきい値を、第１のシステムの信号品質、および、ｅＨＲＰＤの信号品質とそれぞれ比較することとを備えうる。第２のシステムを選択するステップはさらに、第１のシステムの信号品質が、第１のシステムの第１のしきい値よりも低い場合、および／または、ｅＨＲＰＤの信号品質が、ｅＨＲＰＤしきい値よりも高い場合、少なくとも１つのｅＨＲＰＤ近隣に移行することを含みうる。例えば、第１のシステムは、ロング・ターム・イボリューション（ＬＴＥ）システムを備え、第２のシステムは、第３世代パートナシップ計画２（３ＧＰＰ２）システムを備えうる。
【００１２】
関連する態様では、この方法は、検出可能な何れのｅＨＲＰＤ近隣も存在しないことを判定することを含みうる。この方法は、ＡＴがハイブリッド・モードをサポートしないことに応答して、ＬＴＥシステムに残ることを含みうる。この方法はさらに、ＬＴＥ有効通信範囲がもはや利用可能ではない場合、利用可能な１ｘＲＴＴ近隣および利用可能なＨＲＰＤ近隣のうちの１つへ移行することを含みうる。例えば、この方法は、ＬＴＥの信号品質が、ＬＴＥしきい値よりも低い場合、および／または、１ｘＲＴＴの信号品質が、１ｘＲＴＴしきい値よりも高い場合、１ｘＲＴＴ近隣に移行することを含みうる。同様に、この方法は、ＬＴＥの信号品質がＬＴＥしきい値よりも低い場合、および／または、ＨＲＰＤの信号品質がＨＲＰＤしきい値よりも高い場合、ＨＲＰＤ近隣に移行することを含みうる。
【００１３】
別の実施形態では、この方法は、少なくとも１つの１ｘＲＴＴ近隣を検出することを含みうる。この方法は、ＡＴがハイブリッド・モードをサポートすることに応答して、第１のシステムの相対しきい値、および、少なくとも１つの１ｘＲＴＴ近隣の相対しきい値を、第１のシステムの信号品質、および、１ｘＲＴＴの信号品質とそれぞれ比較することとを含みうる。この方法はさらに、第１のシステムの信号品質が第１のしきい値よりも低い場合、および／または、１ｘＲＴＴの信号品質が１ｘＲＴＴしきい値よりも高い場合、少なくとも１つの１ｘＲＴＴ近隣に移行することを含みうる。
【００１４】
関連する態様では、この方法は、少なくとも１つの１ｘＲＴＴ近隣に関連付けられた何れかのｅＨＲＰＤ近隣を検出することを含みうる。この方法はさらに、関連付けられたｅＨＲＰＤ近隣の相対しきい値に少なくとも部分的に基づいて、関連付けられたｅＨＲＰＤ近隣のうちの１つを選択することと、選択された、関連付けられたｅＨＲＰＤ近隣に接続することとを含みうる。関連するさらなる態様では、この方法は、検出可能な何れの１ｘＲＴＴ近隣も存在しないことを判定することを含みうる。この方法はさらに、ＡＴがハイブリッド・モードをサポートすることに応答して、ハンドインするために、利用可能なｅＨＲＰＤシステムと利用可能なＨＲＰＤシステムとのうちの少なくとも１つを求めて探索することを含みうる。
【００１５】
１または複数の実施形態および対応する開示によれば、ＡＴが（例えば、ＬＴＥシステムのような）第１の無線通信システムから（例えば、３ＧＰＰ２システムのような）第２の無線通信システムへのイン・トラフィックな移行を取り扱う方法に関連してさまざまな態様が記載される。このイン・トラフィックな移行方法は、（ａ）１ｘＲＴＴ近隣よりもｅＨＲＰＤ近隣を、（ｂ）ＨＲＰＤ近隣よりも１ｘＲＴＴ近隣を優先する近隣リストにアクセスすることを含みうる。この方法はさらに、近隣リストに少なくとも部分的に基づいて、ハンドインするための第２のシステムを選択することを含みうる。
【００１６】
１つの実施形態では、第２のシステムを選択するステップは、ｅＨＲＰＤ近隣のうちの少なくとも１つを求めて探索することを含みうる。この方法は、少なくとも１つのｅＨＲＰＤ近隣を検出することと、第１のシステムの相対しきい値、および、少なくとも１つのｅＨＲＰＤ近隣の相対しきい値を、第１のシステムの信号品質、および、ｅＨＲＰＤの信号品質とそれぞれ比較することとを含みうる。この方法はさらに、第１のシステムの信号品質が第１のシステムの第１のしきい値よりも低い場合、および／または、少なくとも１つのｅＨＲＰＤ近隣のｅＨＲＰＤの信号品質がｅＨＲＰＤしきい値よりも高い場合、少なくとも１つのｅＨＲＰＤ近隣に移行することを含みうる。
【００１７】
１または複数の実施形態および対応する開示によれば、さまざまな態様が、第１の無線通信システムから第２の無線通信システムへのアイドルな移行を取り扱うためのデバイスおよび装置に関連して記載される。この装置は、トランシーバ・モジュールと、トランシーバ・モジュールに動作可能に接続された少なくとも１つのプロセッサと、少なくとも１つのプロセッサに動作可能に接続され、少なくとも１つのプロセッサのための実行可能なコードを備えるメモリ・モジュールとを含みうる。メモリ・モジュールは、少なくとも１つのプロセッサが、以下の（ａ）および（ｂ）を行うように実行可能なコードを含みうる。（ａ）近隣リストにアクセスすること。近隣リスト内の各近隣システムは、ＡＴがハイブリッド・モードをサポートしているかに少なくとも部分的に基づいて優先度付けられる。（ｂ）近隣リストに少なくとも部分的に基づいて、ハンドインするための第２のシステムを選択すること。例えば、このリストは、ｅＨＲＰＤ近隣、１ｘＲＴＴ近隣、およびＨＲＰＤ近隣のうちの少なくとも１つを備えうる。
【００１８】
１つの実施形態では、少なくとも１つのプロセッサは、少なくとも１つのｅＨＲＰＤ近隣を検出しうる。少なくとも１つのプロセッサは、ＡＴがハイブリッド・モードをサポートしないことに応答して、第１のシステムの相対しきい値、および、少なくとも１つのｅＨＲＰＤ近隣の相対しきい値を、第１のシステムの信号品質、および、ｅＨＲＰＤの信号品質とそれぞれ比較しうる。少なくとも１つのプロセッサは、第１の信号品質が第１のシステムの第１のしきい値よりも低い場合、および／または、ｅＨＲＰＤの信号品質がｅＨＲＰＤしきい値よりも高い場合、ＡＴに対して、少なくとも１つのｅＨＲＰＤ近隣に移行するように指示しうる。
【００１９】
関連する態様では、少なくとも１つのプロセッサは、検出可能な何れのｅＨＲＰＤ近隣も存在しないと判定しうる。少なくとも１つのプロセッサは、ＡＴがハイブリッド・モードをサポートしないことに応答して、ＡＴに対して、ＬＴＥシステムに残るように指示しうる。少なくとも１つのプロセッサは、ＬＴＥ有効通信範囲がもはや利用可能ではない場合、ＡＴに対して、利用可能な１ｘＲＴＴ近隣および利用可能なＨＲＰＤ近隣のうちの１つへ移行するように指示しうる。
【００２０】
１または複数の実施形態および対応する開示によれば、さまざまな態様が、第１の無線通信システムから第２の無線通信システムへのイン・トラフィックな移行を取り扱うためのデバイスおよび装置に関連して記載される。この装置は、トランシーバ・モジュールと、トランシーバ・モジュールに動作可能に接続された少なくとも１つのプロセッサと、少なくとも１つのプロセッサに動作可能に接続され、少なくとも１つのプロセッサのための実行可能なコードを備えるメモリ・モジュールとを含みうる。メモリ・モジュールは、少なくとも１つのプロセッサが、以下の（ａ）および（ｂ）を行うように実行可能なコードを含みうる。（ａ）（ｉ）１ｘＲＴＴ近隣よりもｅＨＲＰＤ近隣を、（ｉｉ）ＨＲＰＤ近隣よりも１ｘＲＴＴ近隣を優先する近隣リストにアクセスすること。（ｂ）近隣リストに少なくとも部分的に基づいて、ハンドインするための第２のシステムを選択すること。
【００２１】
前述した目的および関連する目的を達成するために、１または複数の実施形態は、以下に十分説明され、特に特許請求の範囲で指摘される特徴を備える。次の記載および添付図面は、１または複数の実施形態のある実例となる態様を詳細に記載する。しかしながら、これらの態様は、さまざまな実施形態の原理が適用されるさまざまな方法のうちの僅かしか示しておらず、記載された実施形態は、このような全ての局面およびそれらの均等物を示すことが意図されている。
【図面の簡単な説明】
【００２２】
【図１】図１は、１つの実施形態にしたがう多元接続無線通信システムを例示する。
【図２】図２は、通信システムのブロック図を例示する。
【図３Ａ】図３Ａは、ネットワーク環境内のアクセス・ポイント基地局の構成の態様を例示する。
【図３Ｂ】図３Ｂは、ネットワーク環境内のアクセス・ポイント基地局の構成の態様を例示する。
【図３Ｃ】図３Ｃは、ネットワーク環境内のアクセス・ポイント基地局の構成の態様を例示する。
【図４Ａ】図４Ａは、第１の無線通信システムから第２の無線通信システムへのアイドル移行を取り扱うための方法の１つの実施形態を示す。
【図４Ｂ】図４Ｂは、図４Ａに示す方法のサンプル態様を示す。
【図４Ｃ】図４Ｃは、図４Ａに示す方法のサンプル態様を示す。
【図５Ａ】図５Ａは、イン・トラフィック移行を取り扱う方法のための１つの実施形態を示す。
【図５Ｂ】図５Ｂは、図５Ａに示す方法のサンプル態様を示す。
【図６Ａ】図６Ａは、アイドル移行を取り扱うための装置の１つの実施形態を例示する。
【図６Ｂ】図６Ｂは、アイドル移行を取り扱うための装置の１つの実施形態を例示する。
【図６Ｃ】図６Ｃは、アイドル移行を取り扱うための装置の１つの実施形態を例示する。
【図７Ａ】図７Ａは、イン・トラフィック移行を取り扱うための装置の１つの実施形態を例示する。
【図７Ｂ】図７Ｂは、イン・トラフィック移行を取り扱うための装置の１つの実施形態を例示する。
【発明を実施するための形態】
【００２３】
さまざまな実施形態が、全体を通じて同一要素を示すために同一の参照番号が使用される図面を参照して説明される。次の記載では、説明の目的のために、多数の特定の詳細が、１または複数の実施形態についての完全な理解を提供するために記載される。しかしながら、このような実施形態は、これら具体的な詳細無しで実現されうることが明からである。他の事例では、１または複数の実施形態の記載を容易にするために、周知の構成およびデバイスがブロック図形式で示される。
【００２４】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のようなさまざまな無線通信ネットワークのために使用される。「システム」、「ネットワーク」という用語は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実施することができる。ＵＴＲＡは、広帯域ＣＤＭＡ（Ｗ−ＣＤＭＡ）および低チップ・レート（ＬＣＲ）を含んでいる。ｃｄｍａ２０００はＩＳ−２０００規格、ＩＳ−９５規格、およびＩＳ−８５６規格をカバーする。ＴＤＭＡネットワークは、例えばグローバル移動体通信システム（ＧＳＭ）のようなラジオ技術を実現することができる。ＯＦＤＭＡネットワークは、イボルブドＵＴＲＡ（Ｅ−ＵＴＲＡ）、ＩＥＥＥ  ８０２．１６、ＩＥＥＥ  ８０２．１６、ＩＥＥＥ  ８０２．２０、フラッシュＯＦＤＭ（登録商標）などのようなラジオ技術を実現することができる。ＵＴＲＡ、Ｅ−ＵＴＲＡ、およびＧＳＭ（登録商標）は、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ｃｄｍａ２０００は、「第３世代パートナシップ計画２」（３ＧＰＰ２）と命名された組織からの文書に記載されている。これらさまざまなラジオ技術および規格は、当該技術分野において知られている。明確にするために、これら技術のある態様は、以下において、ＬＴＥについて記載されており、ＬＴＥ用語が以下の説明の多くで使用される。
【００２５】
ＳＣ−ＦＤＭＡシステムは、単一のキャリア変調および周波数領域等値化を利用し、ＯＦＤＭＡシステムと同等の性能と、実質的に同程度の全体的な複雑さを有しうる。ＳＣ−ＦＤＭＡ信号は、固有のシングル・キャリア構造によって、一般に、低いピーク対平均電力比（ＰＡＰＲ）を持つ。ＳＣ−ＦＤＭＡは、特に、送信電力効率の観点から低いＰＡＰＲがモバイル端末に大いに利益をもたらすアップリンク通信のために注目されており、現在、３ＧＰＰ  ＬＴＥまたはイボルブドＵＴＲＡにおけるアップリンク多元接続スキームのための動作前提となっている。本書の目的のために、以下の略語を適用する。  
ＡＭ：アクノレッジ・モード  
ＡＭＤ：アクノレッジ・モード・データ  
ＡＲＱ：自動反復要求  
ＢＣＣＨ：ブロードキャスト制御チャネル  
ＢＣＨ：ブロードキャスト・チャネル  
ＣＣＣＨ：共通制御チャネル  
ＣＣＨ：制御チャネル  
ＣＣＴｒＣＨ：符号化された合成伝送チャネル  
ＣＰ：サイクリック・プレフィクス  
ＣＲＣ：巡回冗長検査  
ＣＴＣＨ：共通トラフィック・チャネル  
ＤＣＣＨ：専用制御チャネル  
ＤＣＨ：専用チャネル  
ＤＬ：ダウンリンク  
ＤＬ−ＳＣＨ：ダウンリンク共有チャネル  
ＤＳＣＨ：ダウンリンク共有チャネル  
ＤＴＣＨ：専用トラフィック・チャネル  
ＦＡＣＨ：順方向リンク・アクセス・チャネル  
ＦＤＤ：周波数分割デュプレクス  
Ｌ１：レイヤ１（物理レイヤ）  
Ｌ２：レイヤ２（データ・リンク・レイヤ）  
Ｌ３：レイヤ３（ネットワーク・レイヤ）  
ＬＩ：長さインジケータ  
ＬＳＢ：最下位ビット  
ＭＡＣ：媒体アクセス制御  
ＭＢＭＳ：マルチメディア・ブロードキャスト・マルチキャスト・サービス  
ＭＢＳＦＮ：マルチキャスト・ブロードキャスト単一周波数ネットワーク  
ＭＣＥ：ＭＢＭＳ調整エンティティ  
ＭＣＨ：マルチキャスト・チャネル  
ＭＲＷ：動き受信ウィンドウ  
ＭＳＢ：最上位ビット  
ＭＳＣＨ：ＭＢＭＳポイント・トゥ・マルチポイント・スケジューリング・チャネル  
ＭＴＣＨ：ＭＢＭＳポイント・トゥ・マルチポイント・トラフィック・チャネル  
ＰＣＣＨ：ページング制御チャネル  
ＰＣＨ：ページング・チャネル  
ＰＤＣＣＨ：物理ダウンリンク制御チャネル  
ＰＤＳＣＨ：物理ダウンリンク共有チャネル  
ＰＤＵ：プロトコル・データ・ユニット  
ＰＨＹ：物理レイヤ  
ＰｈｙＣＨ：物理チャネル  
ＲＡＣＨ：ランダム・アクセス・チャネル  
ＲＬＣ：無線リンク制御  
ＲＲＣ：ラジオ・リソース制御  
ＳＡＰ：サービス・アクセス・ポイント  
ＳＤＵ：サービス・データ・ユニット  
ＳＨＣＣＨ：共有チャネル制御チャネル  
ＳＮ：シーケンス番号  
ＳＵＦＩ：スーパ・フィールド  
ＴＣＨ：トラフィック・チャネル  
ＴＤＤ：時分割デュプレクス  
ＴＦＩ：伝送フォーマット・インジケータ  
ＴＭ：透過モード  
ＴＭＤ：透過モード・データ  
ＴＴＩ：送信時間インタバル  
ＵＥ：ユーザ機器  
ＵＬ：アップリンク  
ＵＭ：非アクノレッジ・モード  
ＵＭＤ：非アクノレッジ・モード・データ  
ＵＭＴＳ：ユニバーサル・モバイル通信システム  
ＵＴＲＡ：ＵＭＴＳ地上ラジオ・アクセス  
ＵＴＲＡＮ：ＵＭＴＳ地上ラジオ・アクセス・ネットワーク
図１に示すように、１つの実施形態にしたがう多元接続無線通信システムが例示される。アクセス・ポイント１００（ＡＰ）は、複数のアンテナ・グループを含んでいる。１つは１０４、１０６を含み、他のものは１０８、１１０を含み、さらに他のものは１１２、１１４を含む。図１では、おのおののアンテナ・グループについて２本のアンテナしか示されていない。しかしながら、おのおののアンテナ・グループについて、それより多くのまたはそれより少ないアンテナが利用されうる。アクセス端末１１６（ＡＴ）はアンテナ１１２およびアンテナ１１４と通信しており、アンテナ１１２、１１４は、順方向リンク１２０でアクセス端末１１６へ情報を送信し、逆方向リンク１１８でアクセス端末１１６から情報を受信する。アクセス端末１２２は、アンテナ１０６、１０８と通信しており、アンテナ１０６、１０８は、順方向リンク１２６でアクセス端末１２２へ情報を送信し、逆方向リンク１２４でアクセス端末１２２から情報を受信する。ＦＤＤシステムでは、通信リンク１１８、１２０、１２４、１２６は、通信のために異なる周波数を使用することができる。例えば、順方向リンク１２０は、逆方向のリンク１１８によって使用されるものとは異なる周波数を使用することができる。
【００２６】
通信するように設計されたエリアおよび／またはアンテナのおのおののグループは、しばしば、ＡＴのセクタと称される。実施形態では、アンテナ・グループはおのおの、ＡＰ１００によってカバーされたエリアのセクタ内のアクセス端末に通信するように設計されている。順方向リンク１２０、１２６による通信では、ＡＰ１００の送信アンテナは、異なるアクセス端末１１６、１２４のための順方向リンクの信号対雑音比を改善するために、ビームフォーミングを利用する。また、有効通信範囲にわたってランダムに散在するアクセス端末へ送信するためにビームフォーミングを用いるＡＰは、近隣セル内のアクセス端末に対して、すべてのアクセス端末に対して単一のアンテナによって送信しているＡＰよりも、少ない干渉しかもたらさない。
【００２７】
本明細書に記載された実施形態の態様によれば、データ伝送のために、複数（ＮＴ個）の送信アンテナと複数（ＮＲ個）の受信アンテナとを適用する複数入力複数出力（ＭＩＭＯ）システムが提供される。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。
【００２８】
ＭＩＭＯシステムは、時分割デュプレクス（“ＴＤＤ”）および周波数分割デュプレクス（“ＦＤＤ”）をサポートしうる。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントは、アクセス・ポイントにおいて複数のアンテナが利用可能である場合、順方向リンクで、ビームフォーミング利得を送信できるようになる。
【００２９】
本明細書における教示は、少なくとも1つの他のノードと通信するためにさまざまな構成要素を適用するノード（例えば、デバイス）へ組み込まれうる。図２は、ノード間の通信を容易にするために適用されうるいくつかのサンプル構成要素を図示する。特に、図２は、ＭＩＭＯシステム２００の無線デバイス２１０（例えば、アクセス・ポイント）と無線デバイス２５０（例えば、アクセス端末）とを例示する。デバイス２１０では、多くのデータ・ストリームのトラフィック・データが、データ・ソース２１２から送信（“ＴＸ”）データ・プロセッサ２１４へ提供される。
【００３０】
いくつかの態様では、各データ・ストリームが、それぞれの送信アンテナを介して送信される。ＴＸデータ・プロセッサ２１４は、符号化されたデータを提供するために、データ・ストリームについて選択された特定の符号化スキームに基づいて、各データ・ストリームのためのトラフィック・データをフォーマットし、符号化し、インタリーブする。
【００３１】
おのおののデータ・ストリームの符号化されたデータは、ＯＦＤＭ技術を用いてパイロット・データと多重化されうる。パイロット・データは一般に、既知の方法で処理される既知のデータ・パターンであり、チャネル応答を推定するために受信機システムにおいて使用されうる。各データ・ストリームの多重化されたパイロットおよび符号化されたデータは、その後、変調シンボルを提供するためにデータ・ストリームについて選択された特定の変調スキーム（例えば、バイナリ・フェーズ・シフト・キーイング（ＢＰＳＫ）、直交フェーズ・シフト・キーイング（ＱＰＳＫ）、Ｍアレイ・フェーズ・シフト・キーイング（Ｍ−ＰＳＫ）、またはマルチ・レベル直交振幅変調（Ｍ−ＱＡＭ））に基づいて変調（すなわち、シンボル・マップ）される。おのおののデータ・ストリームのデータ・レート、符号化、および変調は、プロセッサ２３０によって実行される命令群によって決定される。データ・メモリ２３２は、デバイス２１０のプロセッサ２３０またはその他の構成要素によって使用されるプログラム・コード、データ、またはその他の情報を格納しうる。
【００３２】
すべてのデータ・ストリームの変調シンボルは、（例えば、ＯＦＤＭのために）変調シンボルをさらに処理するＴＸ  ＭＩＭＯプロセッサ２２０に提供される。ＴＸ  ＭＩＭＯプロセッサ２２０はその後、ＮＴ個の変調シンボル・ストリームを、ＮＴ個のトランシーバ（“ＸＣＶＲ”）２２２Ａ乃至２２２Ｔへ提供する。いくつかの態様では、ＴＸ  ＭＩＭＯプロセッサ２２０は、データ・ストリームのシンボルへ、および、このシンボルの送信がなされるアンテナへビーム・フォーミング重みを適用する。
【００３３】
各トランシーバ２２２は、それぞれのシンボル・ストリームを受信し、処理することによって、１または複数のアナログ信号を提供し、さらに、これらアナログ信号を調整（例えば、増幅、フィルタ、およびアップコンバート）することにより、ＭＩＭＯチャネルによる送信に適切な変調信号が提供される。その後、トランシーバ２２２Ａ乃至２２２ＴからのＮＴ個の変調信号が、ＮＴ個のアンテナ２２４Ａ乃至２２４Ｔからそれぞれ送信される。
【００３４】
デバイス２５０では、送信された調整された信号が、ＮＲ個のアンテナ２５２Ａ乃至２５２Ｒによって受信され、各アンテナ２５２からの受信された信号が、それぞれトランシーバ（“ＸＣＶＲ”）２５４Ａ乃至２５４Ｒへ提供される。各トランシーバ２５４は、受信したそれぞれの信号を調整（例えば、フィルタ、増幅、およびダウンコンバート）し、調整された信号をデジタル化してサンプルを取得し、これらサンプルをさらに処理することにより、対応する「受信された」シンボル・ストリームが提供される。
【００３５】
受信（“ＲＸ”）データ・プロセッサ２６０は、その後、ＮＲ個のトランシーバ２５４からＮＲ個のシンボル・ストリームを受信し、これら受信したＮＲ個のシンボル・ストリームを、特定の受信機処理技術に基づいて処理することにより、ＮＴ個の「検出された」シンボル・ストリームが提供される。ＲＸデータ・プロセッサ２６０は、その後、検出されたおのおののシンボル・ストリームを復調し、デインタリーブし、復号して、そのデータ・ストリームのためのトラフィック・データを復元する。ＲＸデータ・プロセッサ２６０による処理は、デバイス２１０におけるＴＸデータ・プロセッサ２１４およびＴＸ  ＭＩＭＯプロセッサ２２０によって実行されるものに対して相補的である。
【００３６】
プロセッサ２７０は、上述したように、どの事前符合化行列を使用するのかを定期的に決定する。プロセッサ２７０は、行列インデクス部およびランク値部を備えた逆方向リンク・メッセージを規定することができる。データ・メモリ２７２は、デバイス２５０のプロセッサ２７０またはその他の構成要素によって使用されるプログラム・コード、データ、およびその他の情報を格納しうる。
【００３７】
逆方向リンク・メッセージは、通信リンクおよび／または受信されたデータ・ストリームに関するさまざまなタイプの情報を備えうる。逆方向リンク・メッセージはその後、データ・ソース２３６から多くのデータ・ストリームのトラフィックをも受信するＴＸデータ・プロセッサ２３８によって処理され、変調器２８０によって変調され、トランシーバ２５４Ａ乃至２５４Ｒによって調整され。デバイス２１０へ送り返される。
【００３８】
デバイス２１０では、デバイス２５０からの調整信号が、アンテナ２２４によって受信され、トランシーバ２２２によって調整され、復調器（“ＤＥＭＯＤ”）２４０によって復調され、ＲＸデータ・プロセッサ２４２によって処理されることによって、デバイス２５０によって送信された逆方向リンク・メッセージが抽出される。その後、プロセッサ２３０が、ビーム・フォーミング重みを決定するためにどの事前符号化行列を使用するのかを決定し、抽出されたメッセージを処理する。デバイス２１０、２５０のおのおのについて、記載された構成要素のうちの複数の機能が、単一の構成要素によって提供されうることが認識されるべきである。
【００３９】
本明細書に記載した実施形態の１つの態様によれば、論理チャネルが、論理制御チャネル及び論理トラフィック・チャネルへ分類されうる。論理制御チャネルは、システム制御情報をブロードキャストするためのＤＬチャネルであるＢＣＣＨと、ページング情報を転送するＤＬチャネルであるＰＣＣＨと、および／または、１またはいくつかのＭＴＣＨのためのＭＢＭＳスケジューリングおよび制御情報を送信するために使用されるポイント・トゥ・マルチポイントＤＬチャネルであるＭＢＭＳポイント・トゥ・マルチポイント制御チャネルとを備えうる。一般に、ＲＲＣ接続の確立後、このチャネルは、ＭＢＭＳを受信するＡＴによって使用される。あるいは、または、それに加えて、論理制御チャネルは、ＤＣＣＨを備えうる。これは、専用制御情報を送信するポイント・トゥ・ポイント双方向チャネルであり、ＲＲＣ接続を有するＡＴによって使用されうる。本明細書に記載された実施形態の別の態様によれば、論理トラフィック・チャネルは、ポイント・トゥ・ポイント双方向チャネルであり、ユーザ情報の転送のために１つのＡＴに特化されたＤＴＣＨと、および／または、トラフィック・データを送信するためのポイント・トゥ・マルチポイントＤＬチャネルであるＭＴＣＨとを備えうる。
【００４０】
１つの態様によれば、伝送チャネルが、ＤＬおよびＵＬへ分類されうる。ＤＬ伝送チャネルは、ＢＣＨ、ダウンリンク共有データ・チャネル（ＤＬ０ＳＤＣＨ）、およびＰＣＨを備えうる。（ネットワークによってＡＴにＤＲＸサイクルが示され）ＡＴの節電をサポートするＰＣＨは、セル全体にわたってブロードキャストされ、別の制御／トラフィック・チャネルのために使用されうるＰＨＹリソースへマップされる。ＵＬ伝送チャネルは、ＲＡＣＨ、要求チャネル（ＲＥＱＣＨ）、アップリンク共有データ・チャネル（ＵＬ−ＳＤＣＨ）、および／または、複数のＰＨＹチャネルを備えうる。ＰＨＹチャネルは、ＤＬチャネルおよびＵＬチャネルのセットを備えうる。
【００４１】
ＤＬ  ＰＨＹチャネルは、共通パイロット・チャネル（ＣＰＩＣＨ）、同期チャネル（ＳＣＨ）、ＣＣＣＨ、共有ＤＬ制御チャネル（ＳＤＣＣＨ）、マルチキャスト制御チャネル、共有ＵＬ割当チャネル（ＳＵＡＣＨ）、アクノレッジメント・チャネル（ＡＣＫＣＨ）、ＤＬ物理共有データ・チャネル（ＤＬ−ＰＳＤＣＨ）、ＵＬ電力制御チャネル（ＵＰＣＣＨ）、ページング・インジケータ・チャネル（ＰＩＣＨ）、および／または、負荷インジケータ・チャネル（ＬＩＣＨ）を備えうる。
【００４２】
ＵＬ  ＰＨＹチャネルは、物理ランダム・アクセス・チャネル（ＰＲＡＣＨ）、チャネル品質インジケータ・チャネル（ＣＱＩＣＨ）、ＡＣＫＣＨ、アンテナ・サブセット・インジケータ・チャネル（ＡＳＩＣＨ）、共有要求チャネル（ＳＲＥＱＣＨ）、ＵＬ物理共有データ・チャネル（ＵＬ−ＰＳＤＣＨ）、および／または、ブロードバンド・パイロット・チャネル（ＢＰＩＣＨ）を備えうる。
【００４３】
関連する態様では、シングル・キャリア波形の低ピーク対平均電力比（ＰＡＲ）特性を維持する（所与の時間において、チャネルが、周波数的に連続しているか、あるいは一様に間隔が置かれた）チャネル構造が提供される。
【００４４】
いくつかの態様では、本明細書における教示は、マクロ・スケールの有効通信範囲（例えば、一般にマクロ・セル・ネットワークと称される３Ｇネットワークのような大規模エリア・セルラ・ネットワーク）と、小規模スケールの有効通信範囲（例えば、住宅ベースまたはビルディング・ベースのネットワーク環境）とを含むネットワークにおいて適用される。ＡＴがこのようなネットワークを通って移動すると、ＡＴは、マクロ有効通信範囲を提供するアクセス・ノード（ＡＮ）によって、ある位置においてサービス提供される一方、アクセス端末は、小規模スケールの有効通信範囲を提供するアクセス・ノードによって、その他の位置においてサービス提供されうる。いくつかの態様では、増大する容量成長、ビルディング内有効通信範囲、および（例えば、よりロバストなユーザ経験のための）その他のサービスを提供するために、小規模な有効通信範囲ノードが使用されうる。本明細書における説明では、比較的大きなエリアにわたって有効通信範囲を提供するノードは、マクロ・ノードと称されうる。（例えば、住宅のように）比較的小さなエリアにわたって有効通信範囲を提供するノードは、フェムト・ノードと称されうる。マクロ・エリアよりも小さく、フェムト・エリアよりも大きなエリアにわたって有効通信範囲を提供するノードは、（例えば、商業ビルディング内に有効通信範囲を提供する）ピコ・ノードと称されうる。
【００４５】
マクロ・ノード、フェムト・ノードあるいはピコ・ノードに関連付けられたセルは、マクロ・セル、フェムト・セル、あるいはピコ・セルとそれぞれ称される。いくつかの実施例では、おのおののセルがさらに、１または複数のセクタに関連付けられる（分割される）。
【００４６】
さまざまなアプリケーションでは、マクロ・ノード、フェムト・ノード、あるいはピコ・ノードを称して、その他の用語が使用されうる。例えば、マクロ・ノードは、アクセス・ノード、基地局、アクセス・ポイント、イボルブド・ノードＢ（ｅノードＢ）、マクロ・セル等として構成されうるか、または、称されうる。また、フェムト・ノードは、ホーム・ノードＢ（ＨＮＢ）、ホーム・イボルブド・ノードＢ（ｅノードＢ）、ＡＰ基地局、フェムト・セル等として構成されるか、または、称されうる。
【００４７】
図３Ａは、本明細書における教示が実施され、多くのユーザをサポートするように構成された無線通信システム３００を例示する。このシステム３００は、例えばマクロ・セル３０２Ａ−３０２Ｇのような複数のセル３０２のための通信を提供する。ここで、各セルは、対応するアクセス・ノード３０４（例えば、アクセス・ノード３０４Ａ−３０４Ｇ）によってサービス提供される。図３に示すように、アクセス端末３０６（例えば、アクセス端末３０６Ａ−３０６Ｌ）は、時間にわたって、システム中のさまざまな位置に分布しうる。各アクセス端末３０６は、例えば、アクティブであるか、および、ソフト・ハンドオフにあるかに依存して、所与の時間において、順方向リンクおよび／または逆方向リンクで１または複数のアクセス・ノード３０４と通信しうる。無線通信システム３００は、大規模な地理的領域にわたってサービスを提供しうる。例えば、マクロ・セル３０２Ａ−３０２Ｇは、近隣の数ブロックをカバーしうる。
【００４８】
図３Ｂは典型的な通信システム３１０を例示する。ここでは、１または複数のフェムト・ノードが、ネットワーク環境内に配置されている。具体的には、システム３１０は、（例えば、１または複数のユーザ住宅３１６内のような）比較的小規模スケールのネットワーク環境に搭載された複数のフェムト・ノード３１２（例えば、フェムト・ノード３１２Ａ、３１２Ｂ）を含みうる。おのおののフェムト・ノード３１２は、ＤＳＬルータ、ケーブル・モデム、無線リンク、あるいは（図示しない）その他の接続手段を介して、広域ネットワーク３１８（例えば、インターネット）およびモバイル・オペレータ・コア・ネットワーク３２０へ接続されうる。以下に説明するように、各フェムト・ノード３１２は、（例えば、アクセス端末３１４Ａのような）関連付けられたアクセス端末３１４と、オプションとして、（例えば、アクセス端末３１４Ｂのような）外部アクセス端末３１４にサービス提供するように構成されうる。言い換えれば、フェムト・ノード３１２へのアクセスは制限され、これによって、所与のアクセス端末３１４が、指定された（例えば、住宅のような）フェムト・ノード（単数または複数）のセットによってサービス提供されうるが、（例えば、近隣のフェムト・ノード３１２のように）指定されていないフェムト・ノード３１２によってサービス提供されない。
【００４９】
図３Ｃは、有効通信範囲マップ３０３の例を示す。ここでは、いくつかのトラッキング・エリア３３２（またはルーティング・エリアまたはロケーション・エリア）が定義される。これらのおのおのは、いくつかのマクロ有効通信範囲エリア３３４を含む。ここでは、トラッキング・エリア３３２Ａ、３３２Ｂ、３３２Ｃに関連付けられた有効通信範囲のエリアが、太線によって線引きされ、マクロ有効通信範囲エリア３３４が、六角形によって表されている。トラッキング・エリア３３２は、フェムト有効通信範囲エリア３３６をも含んでいる。この例において、フェムト有効通信範囲エリア３３６（例えば、フェムト有効通信範囲エリア３３６Ｃ）のおのおのは、マクロ有効通信範囲エリア３３４（例えば、マクロ有効通信範囲エリア３３４Ｂ）内に図示される。しかしながら、フェムト有効通信範囲エリア３３６は、マクロ有効通信範囲エリア３３４内に全体的に位置していなくても良いことが認識されるべきである。実際、所与のトラッキング・エリア３３２またはマクロ有効通信範囲エリア３３４を用いて、極めて多くのフェムト有効通信範囲エリア３３６が定義される。さらに、１または複数のピコ有効通信範囲エリア（図示せず）が、所与のトラッキング・エリア３３２あるいはマクロ有効通信範囲エリア３３４内で定義されうる。
【００５０】
図３Ｂに再び示すように、フェムト・ノード３１２の所有者は、モバイル・オペレータ・コア・ネットワーク３２０によって提供された、例えば３Ｇモバイル・サービスのようなモバイル・サービスに加入しうる。それに加えて、アクセス端末３１４は、マクロ環境と、（例えば、住宅のような）小規模スケールのネットワーク環境との両方において、動作可能でありうる。言い換えれば、アクセス端末３１４は、アクセス端末３１４の現在位置に依存して、マクロ・セル・モバイル・ネットワーク３２０のアクセス・ノード３２２によって、あるいは、（例えば、対応するユーザ住宅３１６内に存在するフェムト・ノード３１２Ａ、３１２Ｂのような）フェムト・ノード３１２のセットのうちの何れか１つによってサービス提供されうる。例えば、加入者が、自宅の外部にいる場合、標準的なマクロ・アクセス・ノード（例えば、ノード３２２）によってサービス提供され、加入者が、自宅にいる場合、フェムト・ノード（例えば、ノード３１２Ａ）によってサービス提供される。ここでは、フェムト・ノード３１２は、既存のアクセス端末３１４と下位互換性を持ちうることが認識されるべきである。
【００５１】
フェムト・ノード３１２は、単一の周波数で、代替例では、複数の周波数で展開されうる。特定の構成に依存して、単一の周波数、または、複数の周波数のうちの１または複数が、（例えば、ノード３２２のような）マクロ・ノードによって使用される１または複数の周波数とオーバラップしうる。
【００５２】
いくつかの態様では、アクセス端末３１４は、（例えば、アクセス端末３１４のホーム・フェムト・ノードのような）好適なフェムト・ノードとの接続が可能である場合には常に接続するように構成されうる。例えば、アクセス端末３１４がユーザの住宅３１６内にある場合は常に、アクセス端末３１４はホーム・フェムト・ノード３１２とのみ通信することが望まれうる。
【００５３】
いくつかの態様では、アクセス端末３１４が、マクロ・セルラ・ネットワーク３２０内で動作するものの、（例えば、好適ローミング・リストで定義されたような）最も好適なネットワークに存在しない場合、アクセス端末３１４は、良好なシステム再選択（“ＢＳＲ”）を用いて、（例えば、好適なフェムト・ノード３１２のような）最も好適なネットワークを探索し続ける。これは、良好なシステムが現在利用可能であるかを判定するために利用可能なシステムの定期的な探索と、その後の、好適なシステムとの関連付けのための努力とを含みうる。アクセス端末３１４は、獲得エントリを用いて、具体的な帯域およびチャネルを求める探索を制限しうる。例えば、最も好適なシステムの探索は、定期的に反復されうる。アクセス端末３１４は、好適なフェムト・ノード３１２を発見すると、有効通信範囲エリア内でキャンプするためのフェムト・セル３１２を選択する。
【００５４】
フェムト・ノードは、いくつかの態様において、制限されうる。例えば、所与のフェムト・ノードは、一定のアクセス端末に対して一定のサービスのみを提供しうる。いわゆる制限された（すなわち、クローズされた）関連性を持つ構成では、所与のアクセス端末は、マクロ・セル・モバイル・ネットワーク、および、（例えば、対応するユーザの住宅３１６内に存在するフェムト・セル３１２のように）定義されたフェムト・ノードのセットによってのみサービス提供されうる。いくつかの実施例では、ノードは、少なくとも１つのノードのために、シグナリング、データ・アクセス、登録、ページング、またはサービスのうちの少なくとも１つを提供しないように制限されうる。
【００５５】
いくつかの態様では、（クローズド加入者グループ・ホーム・ノードＢとも称されうる）制限されたフェムト・ノードは、制限されたアクセス端末のプロビジョンされたセットへとサービスを提供するノードである。必要な場合、このセットは、一時的または永久に拡張されうる。いくつかの態様では、クローズド加入者グループ（“ＣＳＧ”）は、アクセス端末の共通アクセス制御リストを共有するアクセス・ノード（例えば、フェムト・ノード）のセットとして定義されうる。領域内のすべてのフェムト・ノード（または制限されたすべてのフェムト・ノード）が動作するチャネルは、フェムト・チャネルと称されうる。
【００５６】
所与のフェムト・ノードと、所与のアクセス端末との間に、さまざまな関係が存在しうる。例えば、アクセス端末の観点から、オープンなフェムト・ノードは、制限された関連付けを持たないフェムト・ノードと称されうる。制限されたフェムト・ノードは、（例えば、関連付けおよび／または登録について制限されたような）ある方式で制限されたフェムト・ノードと称されうる。ホーム・フェムト・ノードは、アクセス端末がアクセスし動作することが許可されたフェムト・ノードを称しうる。ゲスト・フェムト・ノードは、アクセス端末がアクセスし動作することが一時的に許可されたフェムト・ノードを称しうる。外部フェムト・ノードは、恐らく緊急事態（例えば、９１１コール）を除いて、アクセス端末がアクセスし動作することが許可されないフェムト・ノードを称しうる。
【００５７】
制限されたフェムト・ノードの観点から、ホーム・アクセス端末は、制限されたフェムト・ノードにアクセスすることが許可されたアクセス端末を称しうる。ゲスト・アクセス端末は、制限されたフェムト・ノードへの一時的なアクセスを持つアクセス端末を称しうる。外部アクセス端末は、恐らくは、例えば９１１コールのような緊急事態を除いて、制限されたフェムト・ノードへのアクセスする許可を持たないアクセス端末（例えば、制限されたフェムト・ノードに登録する証明書または許可を持たないアクセス端末）を称しうる。
【００５８】
便宜上、本開示は、フェムト・ノードのコンテキストで、さまざまな機能を説明している。しかしながら、ピコ・ノードは、大規模な有効通信範囲エリアのために、同じまたは類似の機能を提供しうることが認識されるべきである。例えば、ピコ・ノードは、制限されておらず、ホーム・ピコ・ノードは、所与のアクセス端末のために定義される等である。
【００５９】
この開示の特定の主題の態様にしたがって、ＬＴＥによるシングル・キャリア・ラジオ送信技術（１ｘＲＴＴ）近隣リストおよび高レート・パケット・データ（ＨＲＰＤ）近隣リストをサポートし、もって、アイドル時、またはイン・トラフィック時、３ＧＰＰ２近隣の求める効率的な探索を可能にする方法、装置、およびフレームワークが提供される。
【００６０】
１ｘＲＴＴおよびＨＲＰＤの現在のシステム選択手順は、以下のようにして動作する。モバイル局またはＡＴは、最も直近に使用された（ＭＲＵ）テーブルにエントリがあれば、ＰＲＬの獲得テーブル内にリストされたチャネルのシーケンスと、オプションとして、関連付けられた地理的領域インジケータ（ＧＥＯ）とに基づいて、１ｘシステムおよびＨＲＰＤシステムを探索しうる。ＡＴがＨＲＰＤシステムを最初に発見すると、定められた期間（例えば、３０秒間）、利用可能な１ｘシステムを探索し続けうる。ＡＴが１ｘシステムを発見し、これが、ＡＴがこの場所で発見できうる最も好適な１ｘシステムである場合、ＡＴは、１ｘシステムと関連付けさせうる。この結果、ＡＴは、ＡＴが発見し登録した１ｘシステムに関連付けられたＨＲＰＤシステムを探索しうる。ＡＴが定められた期間内に１Ｘシステムを発見しなかった場合、ＡＴは、発見したＨＲＰＤシステムにキャンプオンしうる。
【００６１】
このように仮定すると、ＡＴが、ＬＴＥからＨＲＰＤへ移行している場合、ＡＴは、先ず、有効な１Ｘシステムを発見し、次に、関連付けられているＨＲＰＤシステムを発見する必要がある。したがって、１ｘＲＴＴ近隣、ＨＲＰＤ近隣、およびｅＨＲＰＤ近隣がＬＴＥにおいてどのように展開するか、および、この提供された近隣リストが、ＡＴによってどのようにして取り扱われるかを理解することが有利であろう。さらに、定義される必要のある移行を提供することが有利であろう。ＬＴＥからｅＨＲＰＤへのイン・トラフィック移行は、（連続性を保つために音声コール連続（ＶＣＣ）手順を必要とする）ＬＴＥから１ｘＲＴＴへの移行よりも好ましい。サービス連続性が保証されないので、ＬＴＥモードから１ｘＲＴＴモードへの移行は、ＬＴＥからＨＲＰＤへの移行よりも好適である。
【００６２】
ＬＴＥによる３ＧＰＰ２近隣の好適なリストに関し、１つの実施形態では、１ｘＲＴＴ／ＨＲＰＤ／ｅＨＲＰＤ近隣の展開の好適な順序は、（１）ｅＨＲＰＤ、（２）１ｘＲＴＴ、（３）ＨＲＰＤである。本明細書に記載された実施形態は、主として、前述した好適な順序に関連付けられるだろう。しかしながら、別の実施形態では、好適な順序は、（１）１ｘＲＴＴ、（２）ｅＨＲＰＤ、（３）ＨＲＰＤでありうることが注目される。
【００６３】
本明細書に記載された実施形態の態様によれば、ＬＴＥシステムから３ＧＰＰ２システムへのアイドル移行に関し、ＬＴＥからｅＨＲＰＤへの移行が、ＨＲＰＤから１ｘＲＴＴへの移行よりも好適である典型的なアプローチが提供される。ＡＴは、ＬＴＥ有効通信範囲を超えた場合、ハンドオフするシステムを選択するために、この好適な順序でリストされた近隣を使用する。
【００６４】
関連する態様では、１つの実施形態において、ＡＴが１ｘＲＴＴおよび（ｅ）ＨＲＰＤハイブリッド・モードをサポートしない場合、ｅＨＲＰＤに移行するためのしきい値は、一般に、１ｘＲＴＴおよびＨＲＰＤのために使用されるものよりも高い。なぜなら、この移行は、アプリケーションの観点から、シームレスとなるであろうからである。ＡＴは、ＡＴが発見できる近隣が１ｘＲＴＴ近隣およびＨＲＰＤ近隣のみである場合、可能な限り長くＬＴＥに残ることを試みる。
【００６５】
関連するさらなる態様では、１つの実施形態において、ＡＴが、１ｘＲＴＴおよびｅＨＲＰＤハイブリッド・モードを同時にサポートする場合、ＡＴはまず１ｘＲＴＴ近隣を探索し、次に、ＰＲＬにリストされたように関連付けられたｅＨＲＰＤシステムに基づいて、ｅＨＲＰＤシステムを発見する。ＡＴが１ｘＲＴＴシステムを発見できない場合、ハンドインするために利用可能なｅＨＲＰＤ近隣およびＨＲＰＤ近隣をも探索する。ＬＴＥの信号品質および１ｘＲＴＴの信号品質に対してそれぞれの相対しきい値を比較するための１ｘＲＴＴシステムをＡＴが発見できる場合、ＵＥは、ｅＨＲＰＤ近隣およびＨＲＰＤ近隣を求める探索を実行しない。これによって、ＬＴＥにキャンプオンしている場合、３ＧＰＰ２システムを求める最適な探索が可能となるであろう。
【００６６】
本明細書に記載された実施形態の態様によれば、ＬＴＥシステムから３ＧＰＰ２システムへのイン・トラフィック移行に関し、典型的なアプローチが提供される。ここでは、ＬＴＥからイン・トラフィック移行する場合、ｅＨＲＰＤパイロットについてのみ測定レポートが必要とされる。なぜなら、インターネット・プロトコル（ＩＰ）ドメインでは、音声連続性のみがＬＴＥとｅＨＲＰＤとの間で維持されうるからである。
【００６７】
測定レポートは、ＶＣＣ機能がＡＴおよびネットワークにおいてサポートされるイン・トラフィックの場合においても、１ｘＲＴＴシステムのために有用であるだろう。１つの実施形態では、ＡＴは、１ｘＲＴＴ近隣を探索する前に、先ずｅＨＲＰＤ近隣を探索するだろう。ＡＴが、現在動作しているＬＴＥシステムの信号品質に対して、相対的なしきい値を比較するためのｅＨＲＰＤを発見することができる場合、ＡＴは、１ｘＲＴＴ近隣またはＨＲＰＤ近隣を探索しない。１つの実施形態では、ＡＴは、ＬＴＥでイン・トラフィックで動作している場合、ＨＲＰＤ近隣を探索しないだろう。１つの実施形態では、所与の１ｘシステムが、ｅＨＲＰＤシステムとＨＲＰＤシステムとの両方に関連付けられている場合、ｅＨＲＰＤ対応のＡＴのために、ｅＨＲＰＤシステムが、より好適にリストされると仮定される。ｅＨＲＰＤ対応ではないＡＴの場合、ネットワークは、ＨＲＰＤネットワークではＨＲＰＤデバイスのみを維持し、レガシー・モードでは、ｅＨＲＰＤネットワークを使用することを好むであろうから、ＡＴは、利用可能なＨＲＰＤ有効通信範囲がない場合にのみ、ＨＲＰＤチャネルをより好適であるとしてリストするであろう。
【００６８】
本明細書に記載された実施形態の態様によれば、１ｘ近隣のみをリストし、次に、データ・オプティマイズド（ＤＯ）システム（単数または複数）を最初に探索するのではなく、関連付けられたＤＯシステム（単数または複数）を発見することを含みうる典型的なアプローチが提供される。例えば、このシーケンスは、１ｘへのアイドル・ハンドオーバ、および／または、ｅＨＲＰＤへのトラフィック・ハンドオーバを備えうる。このシーケンスは、ＡＴがＬＴＥにある間に、関連付けられたシステム（単数または複数）を検出することを含みうる。
【００６９】
関連する態様では、１ｘ近隣とともにｅＨＲＰＤ近隣のみをリストする（すなわち、ＨＲＰＤ近隣をリストしない）ことを含み、もって、音声コールのハンドオーバのためにＨＲＰＤ近隣を探索することを回避する典型的なアプローチが提供される。代替案では、このアプローチは、３つすべてのタイプの近隣（すなわち、ｅＨＲＰＤ、１ｘ、およびＨＲＰＤ）を、３つの近隣のタイプに関連する優先度情報とともにリストすることを含みうる。したがって、ＡＴは、ｅＨＲＰＤ近隣、１ｘ近隣、およびＨＲＰＤ近隣とを区別する能力に基づいて探索を実行し、その結果、ＡＴがアイドルまたはイン・トラフィックである場合、最適な探索となる。
【００７０】
本明細書に記載された実施形態のうちの１または複数の態様によれば、第１の無線通信システムから第２の無線通信システムへのアイドル移行を取り扱うための方法が提供される。図４Ａに示すフロー図を参照して、ＡＴまたはＡＴの構成要素で実行されうる方法４００が提供されている。方法４００は、ステップ４１０において、近隣リストにアクセスすることを含みうる。ここで、近隣リスト内の各近隣システムは、ＡＴがハイブリッド・モードをサポートしているかに少なくとも部分的に基づいて優先度付けられうる。方法４００は、ステップ４２０において、近隣リストに少なくとも部分的に基づいて、ハンドインするための第２の無線通信システム（例えば、３ＧＰＰ２システム）を選択することを含みうる。例えば、この近隣リストは、１または複数のｅＨＲＰＤ近隣、１または複数の１ｘＲＴＴ近隣、および／または、１または複数のＨＲＰＤ近隣を備えうる。
【００７１】
ステップ４２０は、少なくとも１つのｅＨＲＰＤ近隣を検出すること（ステップ４２２）を含みうる。ＡＴがハイブリッド・モードをサポートしないことに応答して、ステップ４２０は、第１のシステム（例えば、ＬＴＥシステム）の相対しきい値、および、少なくとも１つのｅＨＲＰＤ近隣の相対しきい値を、第１のシステムの信号品質、および、ｅＨＲＰＤの信号品質とそれぞれ比較すること（ステップ４２３）を含みうる。ステップ４２０はさらに、第１のシステムの信号品質が第１のシステムの第１のしきい値よりも低い場合、および／または、ｅＨＲＰＤの信号品質がｅＨＲＰＤしきい値よりも高い場合、少なくとも１つのｅＨＲＰＤ近隣に移行すること（ステップ４２４）を含みうる。
【００７２】
関連する態様では、図４Ｂに示すように、方法４００は、検出可能な何れのｅＨＲＰＤ近隣も存在しないことを判定すること（ステップ４３０）と、ＡＴがハイブリッド・モードをサポートしないことに応答して、第１のシステムに残ること（ステップ４３２）とを含みうる。方法４００は、ステップ４４０において、ＬＴＥ有効通信範囲が利用可能ではない場合、利用可能な１ｘＲＴＴ近隣と利用可能なＨＲＰＤ近隣とのうちの１つへ移行することを含みうる。ステップ４４０は、ＬＴＥの信号品質がＬＴＥしきい値よりも低い場合、および／または、１ｘＲＴＴの信号品質が１ｘＲＴＴしきい値よりも高い場合、１ｘＲＴＴ近隣に移行すること（ステップ４４２）、および／または、ＬＴＥの信号品質がＬＴＥしきい値よりも低い場合、および／または、ＨＲＰＤの信号品質がＨＲＰＤしきい値よりも高い場合、ＨＲＰＤ近隣に移行すること（ステップ４４４）を含みうる。
【００７３】
関連するさらなる態様では、方法４００は、少なくとも１つの１ｘＲＴＴ近隣を検出すること（ステップ４５０）を含みうる。ＡＴがハイブリッド・モードをサポートすることに応答して、方法４００は、第１のシステムの相対しきい値、および、少なくとも１つの１ｘＲＴＴ近隣の相対しきい値を、第１のシステムの信号品質、および、１ｘＲＴＴの信号品質とそれぞれ比較すること（ステップ４５１）を含みうる。この方法はさらに、図４Ｃに示すように、第１のシステムの信号品質が第１のしきい値よりも低い場合、および／または、１ｘＲＴＴの信号品質が１ｘＲＴＴしきい値よりも高い場合、少なくとも１つの１ｘＲＴＴ近隣に移行すること（ステップ４５２）を含みうる。
【００７４】
引き続き図４Ｃを参照して、この方法４００はまた、少なくとも１つの１ｘＲＴＴ近隣に関連付けられたｅＨＲＰＤ近隣を検出すること（ステップ４６０）と、関連付けられたｅＨＲＰＤ近隣の相対的なしきい値に少なくとも部分的に基づいて、関連付けられたｅＨＲＰＤ近隣のうちの１つを選択すること（ステップ４６１）と、選択された、関連付けられたｅＨＲＰＤ近隣に接続すること（ステップ４６２）とを含みうる。
【００７５】
この方法４００は、ステップ４７０において、検出可能な何れの１ｘＲＴＴ近隣も存在しないことを判定することを含みうる。ＡＴがハイブリッド・モードをサポートすることに応答して、方法４００はさらに、ハンドインするために利用可能なｅＨＲＰＤシステムと利用可能なＨＲＰＤシステムののうちの少なくとも１つを探索すること（ステップ４７２）を含みうる。
【００７６】
本明細書に記載された実施形態の１または複数の態様によれば、第１の無線通信システムから第２の無線通信システムへのイン・トラフィックな移行を取り扱うための方法が提供される。図５Ａに示すフロー図を参照して、ＡＴまたはＡＴの構成要素で実行されうる方法５００が提供される。この方法５００は、ステップ５１０において、（ａ）１ｘＲＴＴ近隣よりもｅＨＲＰＤ近隣を、（ｂ）ＨＲＰＤ近隣よりも１ｘＲＴＴ近隣を優先する近隣リストにアクセスすることを含みうる。この方法５００は、ステップ５２０において、近隣リストに少なくとも部分的に基づいて、ハンドインするための第２の無線通信システムを選択することを含みうる。例えば、ステップ５２０は、ｅＨＲＰＤ近隣のうちの少なくとも１つを探索すること（ステップ５２２）を備えうる。
【００７７】
この方法５００は、少なくとも１つのｅＨＲＰＤ近隣を検出すること（ステップ５３０）と、第１のシステムの相対しきい値、および、少なくとも１つのｅＨＲＰＤ近隣の相対しきい値を、第１のシステムの信号品質、および、ｅＨＲＰＤの信号品質とそれぞれ比較すること（ステップ５３１）と、第１のシステムの信号品質が第１のシステムの第１のしきい値よりも低い場合、および／または、少なくとも１つのｅＨＲＰＤ近隣のｅＨＲＰＤの信号品質がｅＨＲＰＤしきい値よりも高い場合、少なくとも１つのｅＨＲＰＤ近隣に移行すること（ステップ５３２）とを含みうる。
【００７８】
関連する態様では、図５Ｂに示すように、方法５００は、検出可能なｅＨＲＰＤ近隣が存在しないと判定すること（ステップ５４０）と、１ｘＲＴＴ近隣のうちの少なくとも１つを求めて探索すること（ステップ５４２）とを含みうる。この方法５００は、少なくとも１つの１ｘＲＴＴ近隣を検出すること（ステップ５５０）と、第１のシステムの相対しきい値、および、少なくとも１つの１ｘＲＴＴ近隣の相対しきい値を、第１のシステムの信号品質、および、１ｘＲＴＴの信号品質とそれぞれ比較すること（ステップ５５１）と、第１のシステムの信号品質が第１のしきい値よりも低い場合、および／または、１ｘＲＴＴの信号品質が１ｘＲＴＴしきい値よりも高い場合、少なくとも１つの１ｘＲＴＴ近隣に移行すること（ステップ５５２）とを含みうる。この方法５００は、検出可能な１ｘＲＴＴ近隣が存在しないことを判定すること（ステップ５６０）と、ＨＲＰＤ近隣のうちの少なくとも１つを求めて探索すること（ステップ５６２）とを含みうる。
【００７９】
本明細書に記載された実施形態の１または複数の態様によれば、第１の無線通信システムから第２の無線通信システムへのアイドル移行を取り扱うためのデバイスおよび装置が提供される。図６Ａに示すように、ＡＴ、あるいは、ＡＴまたは類似の通信デバイス内で使用されるプロセッサまたは類似のデバイスとして構成されうる典型的な装置６００が提供される。図示するように、装置６００は、プロセッサ、ソフトウェア、またはこれらの組み合わせ（例えば、ファームウェア）によって実現される機能を表す機能ブロックを含みうる。
【００８０】
図示するように、装置６００は、近隣リストにアクセスするための電子構成要素６２０を備えうる。近隣リスト内の各近隣システムは、ＡＴが１ｘＲＴＴおよびｅＨＲＰＤハイブリッド・モードをサポートしているかに少なくとも部分的に基づいて優先度付けられる。装置６００は、近隣リストに少なくとも部分的に基づいて、ハンドインするための第２の無線通信システム（例えば、３ＧＰＰ２システム）を選択するための電子構成要素６３０を備えうる。例えば、この近隣リストは、１または複数のｅＨＲＰＤ近隣、１または複数の１ｘＲＴＴ近隣、および／または、１または複数のＨＲＰＤ近隣を備えうる。
【００８１】
装置６００は、少なくともｅＨＲＰＤ近隣を検出するための電子構成要素６４０を備えうる。ＡＴがハイブリッド・モードをサポートしないことに応答して、装置６００は、第１のシステム（例えば、ＬＴＥシステム）の相対しきい値、および、少なくとも１つのｅＨＲＰＤ近隣の相対しきい値を、第１のシステムの信号品質、および、ｅＨＲＰＤの信号品質とそれぞれ比較するための電子構成要素６４２を含みうる。装置６００はさらに、第１のシステムの信号品質が第１のシステムの第１のしきい値よりも低い場合、および／または、ｅＨＲＰＤの信号品質がｅＨＲＰＤしきい値よりも高い場合、少なくとも１つのｅＨＲＰＤに移行するようにＡＴに指示するための電子構成要素６４４を含みうる。
【００８２】
図６Ｂに示すように、装置６００は、検出可能なｅＨＲＰＤ近隣が存在しないことを判定するための電子構成要素６５０と、ＡＴがハイブリッド・モードをサポートしないことに応答して、ＡＴに対してＬＴＥシステムに残るように指示するための電子構成要素６５１とを備えうる。
【００８３】
装置６００はさらに、ＬＴＥ有効通信範囲がもはや利用可能ではない場合、ＡＴに対して、利用可能な１ｘＲＴＴ近隣および利用可能なＨＲＰＤ近隣のうちの１つに移行するように指示するための電子構成要素６５２を備えうる。装置６００はさらに、ＬＴＥの信号品質がＬＴＥしきい値よりも低い場合、および／または、１ｘＲＴＴの信号品質が１ｘＲＴＴしきい値よりも高い場合、ＡＴに対して、１ｘＲＴＴ近隣に移行するように指示するための電子構成要素６５４を備えうる。装置６００はさらに、ＬＴＥの信号品質がＬＴＥしきい値よりも低い場合、および／または、ＨＲＰＤの信号品質がＨＲＰＤしきい値よりも高い場合、ＡＴに対して、ＨＲＰＤ近隣に移行するように指示するための電子構成要素６５６を備えうる。
【００８４】
図６Ｃを参照して、装置６００は、少なくとも１つの１ｘＲＴＴ近隣を検出するための電子構成要素６６０を備えうる。ＡＴがハイブリッド・モードをサポートすることに応答して、装置６００は、第１のシステムの相対しきい値、および、少なくとも１つの１ｘＲＴＴ近隣の相対しきい値を、第１のシステムの信号品質、および、１ｘＲＴＴの信号品質とそれぞれ比較するための電子構成要素６６２を含みうる。装置６００はさらに、第１のシステムの信号品質が、第１のシステムの第１のしきい値よりも低い場合、および／または、１ｘＲＴＴの信号品質が、１ｘＲＴＴしきい値よりも高い場合、ＡＴに対して、少なくとも１つの１ｘＲＴＴ近隣に移行するように指示するための電子構成要素６６４を含みうる。
【００８５】
装置６００は、少なくとも１つの１ｘＲＴＴ近隣に関連付けられたｅＨＲＰＤ近隣を検出するための電子構成要素６７０と、関連付けられたｅＨＲＰＤ近隣の相対しきい値に少なくとも部分的に基づいて、関連付けられたｅＨＲＰＤ近隣のうちの１つを選択するための電子構成要素６７２と、選択された、関連付けられたｅＨＲＰＤ近隣に接続するようにＡＴに対して指示するための電子構成要素６７４とを備えうる。
【００８６】
装置６００は、検出可能な１ｘＲＴＴ近隣が存在しないことを判定するための電子構成要素６８０を含みうる。ＡＴがハイブリッド・モードをサポートすることに応答して、装置６００はさらに、ハンドインするために利用可能なｅＨＲＰＤシステムと利用可能なＨＲＰＤシステムとのうちの少なくとも１つを求めて探索するための電子構成要素６８２を含みうる。
【００８７】
装置６００はオプションとして、少なくとも１つのプロセッサを有するプロセッサ・モジュール６１０を含み、このモジュールは、装置６００の場合、プロセッサではなく、通信ネットワーク・エンティティとして構成されることが注目される。この場合、プロセッサ６１０は、バス６１２または類似の通信カップリングによって、電子構成要素６２０−６８２と動作可能に通信しうる。プロセッサ６１０は、電子構成要素６２０−６８２によって実行される処理または機能の開始およびスケジューリングを有効にしうる。
【００８８】
関連する態様では、装置６００は、トランシーバ・モジュール６１４を含みうる。トランシーバ６１４の代わりに、または、トランシーバ６１４と連携して、スタンド・アロン受信機および／またはスタンド・アロン送信機が使用されうる。関連するさらなる態様では、装置６００は、オプションとして、例えばメモリ・デバイス／モジュール６１６のように、情報を格納するためのモジュールを含みうる。コンピュータ読取可能媒体またはメモリ・デバイス／モジュール６１６が、バス６１２等によって、装置６００のその他の構成要素に動作可能に接続されうる。コンピュータ読取可能媒体またはメモリ・デバイス６１６は、電子構成要素６２０−６８２、これらのサブ構成要素、またはプロセッサ６１０、あるいは、本明細書で開示された方法の処理および挙動を有効にするためのコンピュータ読取可能命令およびデータを格納するように適応されうる。メモリ・モジュール６１６は、電子構成要素６２０−６８２に関連付けられた機能を実行するための命令群を保持しうる。メモリ６１６の外側にあると示されているが、電子構成要素６２０−６８２は、メモリ６１６内に存在しうることが理解されるべきである。
【００８９】
本明細書に記載された実施形態の１または複数の態様によれば、第１の無線通信システムから第２の無線通信システムへのイン・トラフィックな移行を取り扱うためのデバイスおよび装置が提供される。図７Ａを参照して、ＡＴまたは類似の通信デバイス内で使用するためにＡＴとして、または、プロセッサとして、あるいは、類似のデバイスとして構成されうる典型的な装置７００が提供される。図示するように、装置７００は、プロセッサ、ソフトウェア、またはこれらの組み合わせ（例えば、ファームウェア）によって実現される機能を表す機能ブロックを含みうる。
【００９０】
例示するように、装置７００は、（ａ）１ｘＲＴＴ近隣よりもｅＨＲＰＤ近隣を、（ｂ）ＨＲＰＤ近隣よりも１ｘＲＴＴ近隣を優先する近隣リストにアクセスするための電子構成要素７２０と、近隣リストに少なくとも部分的に基づいて、ハンドインするための第２の無線通信システムを選択するための電子構成要素７３０とを備えうる。
【００９１】
装置７００は、ｅＨＲＰＤ近隣のうちの少なくとも１つを求めて探索するための電子構成要素７４０を備えうる。装置７００は、少なくとも１つのｅＨＲＰＤ近隣を検出するための電子構成要素７５０と、第１のシステムの相対しきい値、および、少なくとも１つのｅＨＲＰＤ近隣の相対しきい値を、第１のシステムの信号品質、および、ｅＨＲＰＤの信号品質とそれぞれ比較するための電子構成要素７５２と、第１のシステムの信号品質が第１のシステムの第１のしきい値よりも低い場合、および／または、少なくとも１つのｅＨＲＰＤ近隣のｅＨＲＰＤの信号品質がｅＨＲＰＤしきい値よりも高い場合、ＡＴに対して、少なくとも１つのｅＨＲＰＤ近隣に移行するように指示するための電子構成要素７５４とを備えうる。
【００９２】
図７Ｂに示すように、装置７００は、検出可能なｅＨＲＰＤが存在しないことを判定するための電子構成要素７６０と、１ｘＲＴＴ近隣のうちの少なくとも１つを求めて探索するための電子構成要素７６２とを備えうる。装置７００は、少なくとも１つの１ｘＲＴＴ近隣を検出するための電子構成要素７７０と、第１のシステムの相対しきい値、および、少なくとも１つの１ｘＲＴＴ近隣の相対しきい値を、第１のシステムの信号品質、および、１ｘＲＴＴの信号品質とそれぞれ比較するための電子構成要素７７２と、第１のシステムの信号品質が第１のしきい値よりも低い場合、および／または、１ｘＲＴＴの信号品質が１ｘＲＴＴしきい値よりも高い場合、ＡＴに対して、少なくとも１つの１ｘＲＴＴ近隣に移行するように指示するための電子構成要素７７４とを備えうる。装置７００は、検出可能な１ｘＲＴＴ近隣が存在しないことを判定するための電子構成要素７８０と、ＨＲＰＤ近隣のうちの少なくとも１つを求めて探索するための電子構成要素７８２とを備えうる。
【００９３】
装置７００はオプションとして、少なくとも１つのプロセッサを有するプロセッサ・モジュール７１０を含み、このモジュールは、装置７００の場合、プロセッサではなく、通信ネットワーク・エンティティとして構成されることが注目される。この場合、プロセッサ７１０は、バス７１２または類似の通信カップリングによって、電子構成要素７２０−７８２と動作可能に通信しうる。プロセッサ７１０は、電子構成要素７２０−７８２によって実行される処理または機能の開始およびスケジューリングを有効にしうる。
【００９４】
関連する態様では、装置７００は、他の通信ネットワーク・エンティティと通信するためのトランシーバ・モジュール７１４を含みうる。トランシーバ７１４の代わりに、または、トランシーバ７１４と連携して、スタンド・アロン受信機および／またはスタンド・アロン送信機が使用されうる。関連するさらなる態様では、装置７００は、オプションとして、例えばメモリ・デバイス／モジュール７１６のように、情報を格納するためのモジュールを含みうる。コンピュータ読取可能媒体またはメモリ・デバイス／モジュール７１６が、バス７１２等によって、装置７００のその他の構成要素に動作可能に接続されうる。コンピュータ読取可能媒体またはメモリ・デバイス７１６は、電子構成要素７２０−７８２、これらのサブ構成要素、またはプロセッサ７１０、あるいは、本明細書で開示された方法の処理および挙動を有効にするためのコンピュータ読取可能命令およびデータを格納するように適応されうる。メモリ・モジュール７１６は、電子構成要素７２０−７８２に関連付けられた機能を実行するための命令群を保持しうる。メモリ７１６の外側にあると示されているが、電子構成要素７２０−７８２は、メモリ７１６内に存在しうることが理解されるべきである。
【００９５】
開示された処理におけるステップの具体的な順序または階層は、典型的なアプローチの例であることが理解される。設計選択に基づいて、これら処理におけるステップの具体的な順序または階層は、本開示のスコープ内であることを保ちながら、再構成されうることが理解される。方法請求項は、さまざまなステップの要素を、サンプル順で示しており、示された具体的な順序または階層に限定されないことが意味される。
【００９６】
当業者であれば、情報および信号は、さまざまな異なる技術および技法のうちの何れかを用いて表されうることを理解するであろう。例えば、上記説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００９７】
当業者であればさらに、本明細書で開示された実施形態に関連して記載された例示的なさまざまな論理ブロック、モジュール、回路、およびアルゴリズム・ステップは、電子的なハードウェア、コンピュータ・ソフトウェア、あるいはこれら両方の組み合わせとして実現されることを認識するであろう。ハードウェアとソフトウェアとの相互置換性を明確に説明するために、さまざまな例示的な構成要素、ブロック、モジュール、回路、およびステップが、それらの機能の観点から一般的に記載された。それら機能がハードウェアとしてまたはソフトウェアとして実現されるかは、特定のアプリケーションおよびシステム全体に課せられている設計制約に依存する。当業者であれば、特定のアプリケーションおのおのに応じて変化する方法で上述した機能を実現することができる。しかしながら、この適用判断は、本発明の範囲からの逸脱をもたらすものと解釈されるべきではない。
【００９８】
本明細書で開示された実施形態に関連して記載されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを  用いて実現または実施されうる。汎用プロセッサとしてマイクロプロセッサを用いることが可能であるが、代わりに、従来技術によるプロセッサ、コントローラ、マイクロコントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成である計算デバイスの組み合わせとして実現することも可能である。
【００９９】
本明細書で開示された例に関連して記載された方法またはアルゴリズムは、ハードウェアによって直接的に、プロセッサによって実行されるソフトウェア・モジュールによって、またはこれら２つの組み合わせによって具体化されうる。ソフトウェア・モジュールは、ランダム・アクセス・メモリ（ＲＡＭ）、フラッシュ・メモリ、読取専用メモリ（ＲＯＭ）、ＥＰＲＯＭ、電子的消去可能プログラマブルＲＯＭ（ＥＥＰＲＯＭ）、レジスタ、ハード・ディスク、リムーバブル・ディスク、ＣＤ−ＲＯＭ、または当該技術において周知であるその他任意の形式の記憶媒体に存在しうる。記憶媒体は、プロセッサが記憶媒体から情報を読み取ったり、記憶媒体へ情報を書き込んだりできるように、プロセッサに接続されうる。あるいは、この記憶媒体は、プロセッサに統合されうる。このプロセッサと記憶媒体とは、ＡＳＩＣ内に存在することができる。
【０１００】
１または複数の典型的な実施形態では、記載された機能は、ハードウェア、ソフトウェア、ファームウェア、あるいはそれらの任意の組み合わせによって実現されうる。ソフトウェアで実現される場合、これら機能は、コンピュータ読取可能媒体上に格納されるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされうる利用可能な任意の媒体である。例として、限定することなく、このようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。例えば、同軸ケーブル、光ファイバ・ケーブル、ツイスト・ペア、ＤＳＬ、あるいは、赤外線やラジオやマイクロ波のような無線技術を使用して、ソフトウェアが、ウェブサイト、サーバ、あるいはその他の遠隔ソースから送信される場合、同軸ケーブル、光ファイバ・ケーブル、ツイスト・ペア、ＤＳＬ、あるいは、赤外線やラジオやマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多目的ディスク（ｄｉｓｃ）（ＤＶＤ）、フロッピー（登録商標）ディスク（ｄｉｓｋ）、およびブルーレイ・ディスク（ｄｉｓｃ）を含み、ここでディスク（ｄｉｓｋ）は通常、データを磁気的に再生する一方、ディスク（ｄｉｓｃ）は、レーザを用いてデータを光学的に再生する。上記の組み合わせもまた、コンピュータ読取可能媒体の範囲内に含まれるべきである。
【０１０１】
開示された実施形態の上記記載は、当業者をして、本開示の製造または利用を可能とするように提供される。これら実施形態に対する様々な変形例もまた、当業者には明らかであって、本明細書で定義された一般的な原理は、本開示の主旨または範囲から逸脱することなく他の例にも適用されうる。このように、本発明は、本明細書で示された実施形態に限定されるものではなく、本明細書で開示された原理および新規な特徴に一致した最も広い範囲に相当することが意図されている。
以下に、出願当初の特許請求の範囲に記載された発明を付記する。
［発明１］
アクセス端末（ＡＴ）が第１の無線通信システムから第２の無線通信システムへのアイドルな移行を取り扱う方法であって、
近隣リストにアクセスすることであって、ここで、前記近隣リスト内の各近隣システムは、前記ＡＴがハイブリッド・モードをサポートしているかに少なくとも部分的に基づいて優先度付けられる、ことと、
前記近隣リストに少なくとも部分的に基づいて、ハンドインする前記第２の無線通信システムを選択することと
を備える方法。
［発明２］
前記近隣リストは、イボルブド高レート・データ・パケット（ｅＨＲＰＤ）近隣、シングル・キャリア・ラジオ送信技術（１ｘＲＴＴ）近隣、および、高レート・データ・パケット（ＨＲＰＤ）近隣のうちの少なくとも１つを備える発明１に記載の方法。
［発明３］
前記第２の無線通信システムを選択することは、
少なくとも１つのｅＨＲＰＤ近隣を検出することと、
前記ＡＴが前記ハイブリッド・モードをサポートしないことに応答して、前記第１の無線通信システムの相対しきい値、および、少なくとも１つのｅＨＲＰＤ近隣の相対しきい値を、前記第１の無線通信システムの信号品質、および、ｅＨＲＰＤの信号品質とそれぞれ比較することと、
前記第１の無線通信システムの信号品質が、前記第１の無線通信システムの第１のしきい値よりも低い場合、および／または、前記ｅＨＲＰＤの信号品質が、ｅＨＲＰＤしきい値よりも高い場合、前記少なくとも１つのｅＨＲＰＤ近隣に移行することと
を備える発明１に記載の方法。
［発明４］
前記第１の無線通信システムは、ロング・ターム・イボリューション（ＬＴＥ）システムを備え、前記第２の無線通信システムは、第３世代パートナシップ計画２（３ＧＰＰ２）システムを備える発明３に記載の方法。
［発明５］
検出可能な何れのｅＨＲＰＤ近隣も存在しないことを判定することと、
前記ＡＴが前記ハイブリッド・モードをサポートしないことに応答して、前記第１の無線通信システムに残ることと
を備える発明４に記載の方法。
［発明６］
ＬＴＥ有効通信範囲がもはや利用可能ではない場合、利用可能な１ｘＲＴＴ近隣および利用可能なＨＲＰＤ近隣のうちの１つへ移行することをさらに備える発明５に記載の方法。
［発明７］
前記ＬＴＥの信号品質が、ＬＴＥしきい値よりも低い場合、および／または、前記１ｘＲＴＴの信号品質が、１ｘＲＴＴしきい値よりも高い場合、前記１ｘＲＴＴ近隣に移行することをさらに備える発明６に記載の方法。
［発明８］
前記ＬＴＥの信号品質がＬＴＥしきい値よりも低い場合、および／または、前記ＨＲＰＤの信号品質がＨＲＰＤしきい値よりも高い場合、前記ＨＲＰＤ近隣に移行することをさらに備える発明６に記載の方法。
［発明９］
少なくとも１つの１ｘＲＴＴ近隣を検出することと、
前記ＡＴが前記ハイブリッド・モードをサポートすることに応答して、前記第１の無線通信システムの相対しきい値、および、前記少なくとも１つの１ｘＲＴＴ近隣の相対しきい値を、前記第１の無線通信システムの信号品質、および、１ｘＲＴＴの信号品質とそれぞれ比較することと、
前記第１の無線通信システムの信号品質が第１のしきい値よりも低い場合、および／または、前記１ｘＲＴＴの信号品質が１ｘＲＴＴしきい値よりも高い場合、前記少なくとも１つの１ｘＲＴＴ近隣に移行することと
をさらに備える発明１に記載の方法。
［発明１０］
前記少なくとも１つの１ｘＲＴＴ近隣に関連付けられた何れかのｅＨＲＰＤ近隣を検出することと、
前記関連付けられたｅＨＲＰＤ近隣の相対しきい値に少なくとも部分的に基づいて、前記関連付けられたｅＨＲＰＤ近隣のうちの１つを選択することと、
前記選択された、関連付けられたｅＨＲＰＤ近隣に接続することと
をさらに備える発明９に記載の方法。
［発明１１］
検出可能な何れの１ｘＲＴＴ近隣も存在しないことを判定することと、
前記ＡＴが前記ハイブリッド・モードをサポートすることに応答して、ハンドインするために、利用可能なｅＨＲＰＤシステムと利用可能なＨＲＰＤシステムとのうちの少なくとも１つを求めて探索することと
をさらに備える発明１０に記載の方法。
［発明１２］
アクセス端末（ＡＴ）が第１の無線通信システムから第２の無線通信システムへのイン・トラフィックな移行を取り扱う方法であって、
（ａ）１ｘＲＴＴ近隣よりもｅＨＲＰＤ近隣を、（ｂ）ＨＲＰＤ近隣よりも１ｘＲＴＴ近隣を優先する近隣リストにアクセスすることと、
前記近隣リストに少なくとも部分的に基づいて、ハンドインするための前記第２の無線通信システムを選択することと
を備える方法。
［発明１３］
前記第２の無線通信システムを選択することは、前記ｅＨＲＰＤ近隣のうちの少なくとも１つを求めて探索することを備える発明１２に記載の方法。
［発明１４］
少なくとも１つのｅＨＲＰＤ近隣を検出することと、
前記第１の無線通信システムの相対しきい値、および、前記少なくとも１つのｅＨＲＰＤ近隣の相対しきい値を、前記第１の無線通信システムの信号品質、および、ｅＨＲＰＤの信号品質とそれぞれ比較することと、
前記第１の無線通信システムの信号品質が前記第１の無線通信システムの第１のしきい値よりも低い場合、および／または、前記少なくとも１つのｅＨＲＰＤ近隣のｅＨＲＰＤの信号品質がｅＨＲＰＤしきい値よりも高い場合、前記少なくとも１つのｅＨＲＰＤ近隣に移行することと
をさらに備える発明１３に記載の方法。
［発明１５］
検出可能な何れのｅＨＲＰＤ近隣も存在しないことを判定することと、
前記１ｘＲＴＴ近隣のうちの少なくとも１つを求めて探索することと
をさらに備える発明１４に記載の方法。
［発明１６］
少なくとも１つの１ｘＲＴＴ近隣を検出することと、
前記第１の無線通信システムの相対しきい値、および、前記少なくとも１つの１ｘＲＴＴ近隣の相対しきい値を、前記第１の無線通信システムの信号品質、および、１ｘＲＴＴの信号品質とそれぞれ比較することと、
前記第１の無線通信システムの信号品質が前記第１のしきい値よりも低い場合、および／または、前記１ｘＲＴＴの信号品質が１ｘＲＴＴしきい値よりも高い場合、前記少なくとも１つの１ｘＲＴＴ近隣に移行することと
をさらに備える発明１５に記載の方法。
［発明１７］
検出可能な何れの１ｘＲＴＴ近隣も存在しないことを判定することと、
前記ＨＲＰＤ近隣のうちの少なくとも１つを求めて探索することと
をさらに備える発明１５に記載の方法。
［発明１８］
第１の無線通信システムから第２の無線通信システムへのアイドルな移行を取り扱うための通信デバイスであって、
トランシーバ・モジュールと、
前記トランシーバ・モジュールに動作可能に接続された少なくとも１つのプロセッサと、
前記少なくとも１つのプロセッサに動作可能に接続されたメモリ・モジュールとを備え、
前記メモリ・モジュールは、前記少なくとも１つのプロセッサが、
近隣リストにアクセスすることであって、前記近隣リスト内の各近隣システムは、ＡＴがハイブリッド・モードをサポートしているかに少なくとも部分的に基づいて優先度付けられる、ことと、
前記近隣リストに少なくとも部分的に基づいて、ハンドインするための前記第２の無線通信システムを選択することと
を行うための実行可能なコードを備える通信デバイス。
［発明１９］
前記少なくとも１つのプロセッサが、
少なくとも１つのｅＨＲＰＤ近隣を検出し、
前記ＡＴが前記ハイブリッド・モードをサポートしないことに応答して、前記第１の無線通信システムの相対しきい値、および、少なくとも１つのｅＨＲＰＤ近隣の相対しきい値を、前記第１の無線通信システムの信号品質、および、ｅＨＲＰＤの信号品質とそれぞれ比較し、
前記第１の無線通信システムの信号品質が前記第１の無線通信システムの第１のしきい値よりも低い場合、および／または、前記ｅＨＲＰＤの信号品質がｅＨＲＰＤしきい値よりも高い場合、前記ＡＴに対して、前記少なくとも１つのｅＨＲＰＤ近隣に移行するように指示する
発明１８に記載のデバイス。
［発明２０］
前記第１の無線通信システムは、ＬＴＥシステムを備え、前記第２の無線通信システムは、３ＧＰＰ２システムを備える発明１９に記載のデバイス。
［発明２１］
前記少なくとも１つのプロセッサが、
検出可能な何れのｅＨＲＰＤ近隣も存在しないと判定し、
前記ＡＴが前記ハイブリッド・モードをサポートしないことに応答して、前記ＡＴに対して、前記ＬＴＥシステムに残るように指示する
発明２０に記載のデバイス。
［発明２２］
前記少なくとも１つのプロセッサが、ＬＴＥ有効通信範囲がもはや利用可能ではない場合、前記ＡＴに対して、利用可能な１ｘＲＴＴ近隣および利用可能なＨＲＰＤ近隣のうちの１つへ移行するように指示する発明２１に記載のデバイス。
［発明２３］
前記少なくとも１つのプロセッサが、前記ＬＴＥの信号品質が、ＬＴＥしきい値よりも低い場合、および／または、前記１ｘＲＴＴの信号品質が、１ｘＲＴＴしきい値よりも高い場合、前記ＡＴに対して、前記１ｘＲＴＴ近隣に移行するように指示する発明２２に記載のデバイス。
［発明２４］
前記少なくとも１つのプロセッサが、前記ＬＴＥの信号品質がＬＴＥしきい値よりも低い場合、および／または、前記ＨＲＰＤの信号品質がＨＲＰＤしきい値よりも高い場合、前記ＡＴに対して、前記ＨＲＰＤ近隣に移行するように指示する発明２２に記載のデバイス。
［発明２５］
前記少なくとも１つのプロセッサが、
少なくとも１つの１ｘＲＴＴ近隣を検出し、
前記ＡＴが前記ハイブリッド・モードをサポートすることに応答して、前記第１の無線通信システムの相対しきい値、および、前記少なくとも１つの１ｘＲＴＴ近隣の相対しきい値を、前記第１の無線通信システムの信号品質、および、１ｘＲＴＴの信号品質とそれぞれ比較し、
前記第１の無線通信システムの信号品質が前記第１の無線通信システムの第１のしきい値よりも低い場合、および／または、前記１ｘＲＴＴの信号品質が１ｘＲＴＴしきい値よりも高い場合、前記ＡＴに対して、前記少なくとも１つの１ｘＲＴＴ近隣に移行するように指示する
発明１８に記載のデバイス。
［発明２６］
前記少なくとも１つのプロセッサが、
前記少なくとも１つの１ｘＲＴＴ近隣に関連付けられた何れかのｅＨＲＰＤ近隣を検出し、
前記関連付けられたｅＨＲＰＤ近隣の相対しきい値に少なくとも部分的に基づいて、前記関連付けられたｅＨＲＰＤ近隣のうちの１つを選択し、
前記ＡＴに対して、前記選択された、関連付けられたｅＨＲＰＤ近隣に接続するように指示する
発明２５に記載のデバイス。
［発明２７］
少なくとも１つのプロセッサが、
検出可能な何れの１ｘＲＴＴ近隣も存在しないことを判定し、
前記ＡＴが前記ハイブリッド・モードをサポートすることに応答して、
ハンドインするために利用可能なｅＨＲＰＤシステムおよび利用可能なＨＡＲＤシステムのうちの少なくとも１つを探索する
発明２６に記載のデバイス。
［発明２８］
第１の無線通信システムから第２の無線通信システムへのイン・トラフィックな移行を取り扱うための無線デバイスであって、
トランシーバ・モジュールと、
前記トランシーバ・モジュールに動作可能に接続された少なくとも１つのプロセッサと、
前記少なくとも１つのプロセッサに動作可能に接続されたメモリ・モジュールとを備え、
前記メモリ・モジュールは、前記少なくとも１つのプロセッサが、
（ａ）１ｘＲＴＴ近隣よりもｅＨＲＰＤ近隣を、（ｂ）ＨＲＰＤ近隣よりも１ｘＲＴＴ近隣を優先する近隣リストにアクセスすることと、
前記近隣リストに少なくとも部分的に基づいて、ハンドインするための前記第２の無線通通信システムを選択することと
を行うための実行可能なコードを備える通信デバイス。
［発明２９］
前記少なくとも１つのプロセッサが、前記ｅＨＲＰＤ近隣のうちの少なくとも１つを求めて探索する発明２８に記載のデバイス。
［発明３０］
前記少なくとも１つのプロセッサが、
前記少なくとも１つのｅＨＲＰＤ近隣を検出し、
前記第１の無線通信システムの相対しきい値、および、少なくとも１つのｅＨＲＰＤ近隣の相対しきい値を、前記第１の無線通信システムの信号品質、および、ｅＨＲＰＤの信号品質とそれぞれ比較し、
前記第１の無線通信システムの信号品質が前記第１の無線通信システムの第１のしきい値よりも低い場合、および／または、前記ｅＨＲＰＤの信号品質がｅＨＲＰＤしきい値よりも高い場合、前記ＡＴに対して、前記少なくとも１つのｅＨＲＰＤ近隣に移行するように指示する
発明２９に記載のデバイス。
［発明３１］
前記少なくとも１つのプロセッサが、
検出可能な何れのｅＨＲＰＤ近隣も存在しないことを判定し、
前記１ｘＲＴＴ近隣のうちの少なくとも１つを求めて探索する
発明３０に記載のデバイス。
［発明３２］
前記少なくとも１つのプロセッサが、
前記少なくとも１つの１ｘＲＴＴ近隣を検出し、
前記第１の無線通信システムの相対しきい値、および、前記少なくとも１つの１ｘＲＴＴ近隣の相対しきい値を、前記第１の無線通信システムの信号品質、および、１ｘＲＴＴの信号品質とそれぞれ比較し、
前記第１の無線通信システムの信号品質が前記第１のしきい値よりも低い場合、および／または、前記１ｘＲＴＴの信号品質が１ｘＲＴＴしきい値よりも高い場合、前記ＡＴに対して、前記少なくとも１つの１ｘＲＴＴ近隣に移行するように指示する
発明３１に記載のデバイス。
［発明３３］
前記少なくとも１つのプロセッサが、
検出可能な何れの１ｘＲＴＴ近隣も存在しないことを判定し、
前記ＨＲＰＤ近隣のうちの少なくとも１つを求めて探索する
発明３１に記載のデバイス。
［発明３４］
第１の無線通信システムから第２の無線通信システムへのアイドルな移行を取り扱うための装置であって、
近隣リストにアクセスする第１の構成要素であって、前記近隣リスト内の各近隣システムは、ＡＴがハイブリッド・モードをサポートしているかに少なくとも部分的に基づいて優先度付けられる、第１の構成要素と、
前記近隣リストに少なくとも部分的に基づいて、ハンドインするための前記第２の無線通信システムを選択する第２の構成要素と
を備える装置。
［発明３５］
前記第２の構成要素は、
少なくとも１つのｅＨＲＰＤ近隣を検出し、
前記ＡＴが前記ハイブリッド・モードをサポートしないことに応答して、前記第１の無線通信システムの相対しきい値、および、少なくとも１つのｅＨＲＰＤ近隣の相対しきい値を、前記第１の無線通信システムの信号品質、および、ｅＨＲＰＤの信号品質とそれぞれ比較し、
前記第１の無線通信システムの信号品質が前記第１の無線通信システムの第１のしきい値よりも低い場合、および／または、前記ｅＨＲＰＤの信号品質がｅＨＲＰＤしきい値よりも高い場合、前記ＡＴに対して、前記少なくとも１つのｅＨＲＰＤ近隣に移行するように指示する
ように構成された発明３４に記載の装置。
［発明３６］
前記第１の無線通信システムは、ＬＴＥシステムを備え、前記第２の無線通信システムは、３ＧＰＰ２システムを備える発明３５に記載の装置。
［発明３７］
検出可能な何れのｅＨＲＰＤ近隣も存在しないと判定し、
前記ＡＴが前記ハイブリッド・モードをサポートしないことに応答して、前記ＡＴに対して、前記ＬＴＥシステムに残るように指示する
ように構成された第３の構成要素をさらに備える発明３６に記載の装置。
［発明３８］
ＬＴＥ有効通信範囲がもはや利用可能ではない場合、前記ＡＴに対して、利用可能な１ｘＲＴＴ近隣および利用可能なＨＲＰＤ近隣のうちの１つへ移行するように指示する第４の構成要素をさらに備える発明３７に記載の装置。
［発明３９］
前記ＬＴＥの信号品質が、ＬＴＥしきい値よりも低い場合、および／または、前記１ｘＲＴＴの信号品質が、１ｘＲＴＴしきい値よりも高い場合、前記ＡＴに対して、前記１ｘＲＴＴ近隣に移行するように指示する第５の構成要素をさらに備える発明３８に記載の装置。
［発明４０］
前記ＬＴＥの信号品質がＬＴＥしきい値よりも低い場合、および／または、前記ＨＲＰＤの信号品質がＨＲＰＤしきい値よりも高い場合、前記ＡＴに対して、前記ＨＲＰＤ近隣に移行するように指示する第６の構成要素をさらに備える発明３８に記載の装置。
［発明４１］
少なくとも１つの１ｘＲＴＴ近隣を検出し、
前記ＡＴが前記ハイブリッド・モードをサポートすることに応答して、前記第１の無線通信システムの相対しきい値、および、前記少なくとも１つの１ｘＲＴＴ近隣の相対しきい値を、前記第１の無線通信システムの信号品質、および、１ｘＲＴＴの信号品質とそれぞれ比較し、
前記第１の無線通信システムの信号品質が第１のしきい値よりも低い場合、および／または、前記１ｘＲＴＴの信号品質が１ｘＲＴＴしきい値よりも高い場合、前記ＡＴに対して、前記少なくとも１つの１ｘＲＴＴ近隣に移行するように指示する
ように構成された第７の構成要素をさらに備える発明３４に記載の装置。
［発明４２］
前記第１の無線通信システムは、ＬＴＥシステムを備え、前記第２の無線通信システムは、３ＧＰＰ２システムを備える発明４１に記載の装置。
［発明４３］
前記少なくとも１つの１ｘＲＴＴ近隣に関連付けられた何れかのｅＨＲＰＤ近隣を検出し、
前記関連付けられたｅＨＲＰＤ近隣の相対しきい値に少なくとも部分的に基づいて、前記関連付けられたｅＨＲＰＤ近隣のうちの１つを選択し、
前記ＡＴに対して、前記選択された、関連付けられたｅＨＲＰＤ近隣に接続するように指示する
ように構成された第３の構成要素をさらに備える発明４２に記載の装置。
［発明４４］
検出可能な何れの１ｘＲＴＴ近隣も存在しないことを判定し、
前記ＡＴが前記ハイブリッド・モードをサポートすることに応答して、ハンドインするために利用可能なｅＨＲＰＤシステムおよび利用可能なＨＡＲＤシステムのうちの少なくとも１つを求めて探索する
ように構成された第３の構成要素をさらに備える発明４２に記載の装置。
［発明４５］
第１の無線通信システムから第２の無線通信システムへのアイドルな移行を取り扱うための装置であって、
（ａ）１ｘＲＴＴ近隣よりもｅＨＲＰＤ近隣を、（ｂ）ＨＲＰＤ近隣よりも１ｘＲＴＴ近隣を優先する近隣リストにアクセスするための第１の構成要素と、
前記近隣リストに少なくとも部分的に基づいて、ハンドインするための前記第２の無線通通信システムを選択するための第２の構成要素と
を備える装置。
［発明４６］
前記第２の構成要素は、前記ｅＨＲＰＤ近隣のうちの少なくとも１つを求めて探索するように構成された発明４５に記載の装置。
［発明４７］
第１の無線通信システムから第２の無線通信システムへのアイドルな移行を取り扱うための装置であって、
近隣リストにアクセスする手段であって、前記近隣リスト内の各近隣システムは、ＡＴがハイブリッド・モードをサポートしているかに少なくとも部分的に基づいて優先度付けられる、手段と、
前記近隣リストに少なくとも部分的に基づいて、ハンドインするための前記第２の無線通信システムを選択する手段と
を備える装置。
［発明４８］
少なくとも１つのｅＨＲＰＤ近隣を検出する手段と、
前記ＡＴが前記ハイブリッド・モードをサポートしないことに応答して、前記第１の無線通信システムの相対しきい値、および、少なくとも１つのｅＨＲＰＤ近隣の相対しきい値を、前記第１の無線通信システムの信号品質、および、ｅＨＲＰＤの信号品質とそれぞれ比較する手段と、
前記第１の無線通信システムの信号品質が前記第１の無線通信システムの第１のしきい値よりも低い場合、および／または、前記ｅＨＲＰＤの信号品質がｅＨＲＰＤしきい値よりも高い場合、前記ＡＴに対して、前記少なくとも１つのｅＨＲＰＤ近隣に移行するように指示する手段と
をさらに備える発明４７に記載の装置。
［発明４９］
前記第１の無線通信システムは、ＬＴＥシステムを備え、前記第２の無線通信システムは、３ＧＰＰ２システムを備える発明４８に記載の装置。
［発明５０］
検出可能な何れのｅＨＲＰＤ近隣も存在しないと判定する手段と、
前記ＡＴが前記ハイブリッド・モードをサポートしないことに応答して、前記ＡＴに対して、前記ＬＴＥシステムに残るように指示する手段と
をさらに備える発明４９に記載の装置。
［発明５１］
ＬＴＥ有効通信範囲がもはや利用可能ではない場合、前記ＡＴに対して、利用可能な１ｘＲＴＴ近隣および利用可能なＨＲＰＤ近隣のうちの１つへ移行するように指示する手段をさらに備える発明５０に記載の装置。
［発明５２］
前記ＬＴＥの信号品質が、ＬＴＥしきい値よりも低い場合、および／または、前記１ｘＲＴＴの信号品質が、１ｘＲＴＴしきい値よりも高い場合、前記ＡＴに対して、前記１ｘＲＴＴ近隣に移行するように指示する手段をさらに備える発明５１に記載の装置。
［発明５３］
前記ＬＴＥの信号品質がＬＴＥしきい値よりも低い場合、および／または、前記ＨＲＰＤの信号品質がＨＲＰＤしきい値よりも高い場合、前記ＡＴに対して、前記ＨＲＰＤ近隣に移行するように指示する手段をさらに備える発明５１に記載の装置。
［発明５４］
少なくとも１つの１ｘＲＴＴ近隣を検出する手段と、
前記ＡＴが前記ハイブリッド・モードをサポートすることに応答して、前記第１の無線通信システムの相対しきい値、および、前記少なくとも１つの１ｘＲＴＴ近隣の相対しきい値を、前記第１の無線通信システムの信号品質、および、１ｘＲＴＴの信号品質とそれぞれ比較する手段と、
前記第１の無線通信システムの信号品質が第１のしきい値よりも低い場合、および／または、前記１ｘＲＴＴの信号品質が１ｘＲＴＴしきい値よりも高い場合、前記ＡＴに対して、前記少なくとも１つの１ｘＲＴＴ近隣に移行するように指示する手段と
をさらに備える発明４５に記載の装置。
［発明５５］
前記第１の無線通信システムは、ＬＴＥシステムを備え、前記第２の無線通信システムは、３ＧＰＰ２システムを備える発明５４に記載の装置。
［発明５６］
前記少なくとも１つの１ｘＲＴＴ近隣に関連付けられた何れかのｅＨＲＰＤ近隣を検出する手段と、
前記関連付けられたｅＨＲＰＤ近隣の相対しきい値に少なくとも部分的に基づいて、前記関連付けられたｅＨＲＰＤ近隣のうちの１つを選択する手段と、
前記ＡＴに対して、前記選択された、関連付けられたｅＨＲＰＤ近隣に接続するように指示する手段と
をさらに備える発明５５に記載の装置。
［発明５７］
検出可能な何れの１ｘＲＴＴ近隣も存在しないことを判定する手段と、
前記ＡＴが前記ハイブリッド・モードをサポートすることに応答して、ハンドインするために利用可能なｅＨＲＰＤシステムおよび利用可能なＨＡＲＤシステムのうちの少なくとも１つを求めて探索する手段と
をさらに備える発明５５に記載の装置。
［発明５８］
第１の無線通信システムから第２の無線通信システムへのアイドルな移行を取り扱うための装置であって、
（ａ）１ｘＲＴＴ近隣よりもｅＨＲＰＤ近隣を、（ｂ）ＨＲＰＤ近隣よりも１ｘＲＴＴ近隣を優先する近隣リストにアクセスする手段と、
前記近隣リストに少なくとも部分的に基づいて、ハンドインするための前記第２の無線通通信システムを選択する手段と
を備える装置。
［発明５９］
前記ｅＨＲＰＤ近隣のうちの少なくとも１つを求めて探索する手段をさらに備える発明５８に記載の装置。
［発明６０］
コンピュータ読取可能媒体を備えるコンピュータ・プログラム製品であって、
前記コンピュータ読取可能媒体は、
ＡＴが、第１の無線通信システムから第２の無線通信システムへの移行を試みることに応答して、コンピュータに対して、前記ＡＴのための近隣リストにアクセスさせるためのコードであって、前記近隣リスト内の各近隣システムは、前記ＡＴがハイブリッド・モードをサポートしているかに少なくとも部分的に基づいて優先度付けられる、コードと、
前記近隣リストに少なくとも部分的に基づいて、コンピュータに対して、ハンドインするための前記第２の無線通信システムを選択させるためのコードと
を備えるコンピュータ・プログラム製品。
［発明６１］
前記コンピュータ読取可能媒体はさらに、コンピュータに対して、
少なくとも１つのｅＨＲＰＤ近隣を検出させ、
前記ＡＴが前記ハイブリッド・モードをサポートしないことに応答して、前記第１の無線通信システムの相対しきい値、および、少なくとも１つのｅＨＲＰＤ近隣の相対しきい値を、前記第１の無線通信システムの信号品質、および、ｅＨＲＰＤの信号品質とそれぞれ比較させ、
前記第１の無線通信システムの信号品質が前記第１の無線通信システムの第１のしきい値よりも低い場合、および／または、前記ｅＨＲＰＤの信号品質がｅＨＲＰＤしきい値よりも高い場合、前記ＡＴに対して、前記少なくとも１つのｅＨＲＰＤ近隣に移行させる
ためのコードをさらに備える発明６０に記載のコンピュータ・プログラム製品。
［発明６２］
前記第１の無線通信システムは、ＬＴＥシステムを備え、前記第２の無線通信システムは、３ＧＰＰ２システムを備える発明６１に記載のコンピュータ・プログラム製品。
［発明６３］
コンピュータ読取可能媒体を備えるコンピュータ・プログラム製品であって、
前記コンピュータ読取可能媒体は、
第１の無線通信システムから第２の無線通信システムへのアイドルな移行に応答して、
（ａ）１ｘＲＴＴ近隣よりもｅＨＲＰＤ近隣を、（ｂ）ＨＲＰＤ近隣よりも１ｘＲＴＴ近隣を優先する近隣リストに、コンピュータをアクセスさせるためのコードと、
コンピュータに対して、前記近隣リストに少なくとも部分的に基づいて、ハンドインするための前記第２の無線通通信システムを選択させるためのコードと
を備えるコンピュータ・プログラム製品。
［発明６４］
前記コンピュータ読取可能媒体はさらに、コンピュータに対して、前記ｅＨＲＰＤ近隣のうちの少なくとも１つを求めて探索させるためのコードを備える発明６３に記載のコンピュータ・プログラム製品。
【図１】
0005450639.tif 000002
【図２】
0005450639.tif 000003
【図３Ａ】
0005450639.tif 000004
【図３Ｂ】
0005450639.tif 000005
【図３Ｃ】
0005450639.tif 000006
【図４Ａ】
0005450639.tif 000007
【図４Ｂ】
0005450639.tif 000008
【図４Ｃ】
0005450639.tif 000009
【図５Ａ】
0005450639.tif 000010
【図５Ｂ】
0005450639.tif 000011
【図６Ａ】
0005450639.tif 000012
【図６Ｂ】
0005450639.tif 000013
【図６Ｃ】
0005450639.tif 000014
【図７Ａ】
0005450639.tif 000015
【図７Ｂ】
0005450639.tif 000016